(57)【要約】  ユーザが操作したことによって例えば助手席側のアプリケーションの機能を知らないうちに実行してしまうことを抑制可能な技術を提供することを目的とする。ナビゲーション装置１は、左座席の方向にて視認可能な左用画像と、右座席の方向にて視認可能な右用画像とを一つの画面上に表示可能なスプリットビュー表示部２を制御する。ナビゲーション装置１は、予め定められた第１条件が満たされたと判断した場合に当該満たされた第１条件に基づいて、通常モード及び右制約モードのうちいずれか一つのモードに設定する制御部１４を備える。
2015083266.tif 000002
【特許請求の範囲】
【請求項１】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
予め定められた第１条件が満たされたと判断した場合に当該満たされた第１条件に基づいて、アプリケーションの機能を実行するための前記第１画像に対する第１操作と、アプリケーションの機能を実行するための前記第２画像に対する第２操作とを有効にする通常モード、及び、前記第２操作を制約する第２制約モードのうち、いずれか一つのモードに設定する制御部
を備える、表示制御装置。
【請求項２】
請求項１に記載の表示制御装置であって、
前記制御部は、
前記第２制約モードに設定する場合には、前記第１操作として実施される予め定められた第１ジェスチャー操作を有効にし、かつ、前記第２操作として実施される前記第２ジェスチャー操作を無効にする、表示制御装置。
【請求項３】
請求項２に記載の表示制御装置であって、
前記制御部は、
前記第１画像側にて実行されているアプリケーションの種類に基づいて、前記第１ジェスチャー操作及び前記第２ジェスチャー操作を変更する、表示制御装置。
【請求項４】
請求項１に記載の表示制御装置であって、
前記制御部は、
前記第１操作と前記第２操作とを一律に受け付ける入力部からの出力信号に基づき、前記第１画像内の予め定められた第１ボタンに対する操作が実施されたと判定された場合に、前記第１条件が満たされたと判断して前記第２制約モードに設定する、表示制御装置。
【請求項５】
請求項１に記載の表示制御装置であって、
前記制御部は、
指示体の二次元の位置を検出することによって前記第１操作と前記第２操作とを一律に受け付ける入力部からの出力信号に基づき、複数の指示体が同時に複数点で前記入力部をタッチする操作が実施されたと判定された場合に、前記第１条件が満たされたと判断して前記第２制約モードに設定する、表示制御装置。
【請求項６】
請求項１に記載の表示制御装置であって、
前記制御部は、
指示体の三次元の位置を検出することによって前記第１操作と前記第２操作とを一律に受け付ける入力部からの出力信号に基づき、指示体が前記入力部から離間した状態で当該指示体によって予め定められた軌道を有する操作が実施されたと判定された場合に、前記第１条件が満たされたと判断して前記第２制約モードに設定する、表示制御装置。
【請求項７】
請求項１に記載の表示制御装置であって、
前記制御部は、
前記第２制約モードに設定してから予め定められた時間までの間に前記第１操作に応じた前記機能が実行されず、かつ前記通常モードに設定されなかった場合に、前記第１条件が満たされたと判断して前記通常モードに設定する、表示制御装置。
【請求項８】
請求項１に記載の表示制御装置であって、
前記制御部は、
予め定められた第２条件が満たされたと判断した場合に当該満たされた第２条件に基づいて、前記第１操作を制約する第１制約モード、前記第２制約モード、及び、前記通常モードのうち、いずれか一つのモードに設定する、表示制御装置。
【請求項９】
請求項８に記載の表示制御装置であって、
前記制御部は、
前記第１制約モードに設定する場合には、前記第２操作として実施される予め定められた第２ジェスチャー操作を有効にし、かつ、前記第１操作として実施される予め定められた第１ジェスチャー操作を無効にし、前記第２制約モードに設定する場合には、前記第１ジェスチャー操作を有効にし、かつ、前記第２ジェスチャー操作を無効にする、表示制御装置。
【請求項１０】
請求項９に記載の表示制御装置であって、
前記制御部は、
前記第１画像側にて実行されているアプリケーションの種類、及び、前記第２画像側にて実行されているアプリケーションの種類に基づいて、前記第１ジェスチャー操作及び前記第２ジェスチャー操作を変更する、表示制御装置。
【請求項１１】
請求項８に記載の表示制御装置であって、
前記制御部は、
前記第１操作と前記第２操作とを一律に受け付ける入力部からの出力信号に基づき、前記第１画像内の予め定められた第１ボタンに対する操作が実施されたと判定された場合に、前記第２条件が満たされたと判断して前記第２制約モードに設定し、前記入力部からの出力信号に基づき、前記第２画像内の予め定められた第２ボタンに対する操作が実施されたと判定された場合に、前記第２条件が満たされたと判断して前記第１制約モードに設定する、表示制御装置。
【請求項１２】
請求項８に記載の表示制御装置であって、
前記制御部は、
指示体の二次元の位置を検出することによって前記第１操作と前記第２操作とを一律に受け付ける入力部からの出力信号に基づき、複数の指示体が同時に複数点で前記入力部をタッチする操作が実施されたと判定された場合に、前記第２条件が満たされたと判断して前記第１制約モードまたは前記第２制約モードに設定する、表示制御装置。
【請求項１３】
請求項１２に記載の表示制御装置であって、
前記制御部は、
前記複数の指示体が同時に複数点で前記入力部をタッチする操作が実施されたと判定された場合に、当該複数点の数に基づいて前記第１制約モード及び前記第２制約モードのうち設定すべき一方を選択する、表示制御装置。
【請求項１４】
請求項８に記載の表示制御装置であって、
前記制御部は、
指示体の三次元の位置を検出することによって前記第１操作と前記第２操作とを一律に受け付ける入力部からの出力信号に基づき、前記入力部から離間した指示体によって予め定められた軌道を有する操作が実施されたと判定された場合に、前記第２条件が満たされたと判断して前記第１制約モードまたは前記第２制約モードに設定する、表示制御装置。
【請求項１５】
請求項１４に記載の表示制御装置であって、
前記制御部は、
前記入力部から離間した指示体によって前記予め定められた軌道を有する操作が実施されたと判定された場合に、当該操作における前記指示体の移動の方向に基づいて前記第１制約モード及び前記第２制約モードのうち設定すべき一方を選択する、表示制御装置。
【請求項１６】
請求項８に記載の表示制御装置であって、
前記制御部は、
前記第１制約モードに設定してから予め定められた時間までの間に前記第２操作に応じた前記機能が実行されず、かつ前記通常モード及び前記第２制約モードのいずれにも設定されなかった場合に、または、前記第２制約モードに設定してから予め定められた時間までの間に前記第１操作に応じた前記機能が実行されず、かつ前記通常モード及び前記第１制約モードのいずれにも設定されなかった場合に、前記第２条件が満たされたと判断して前記通常モードに設定する、表示制御装置。
【請求項１７】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）予め定められた第１条件が満たされたか否かを判断する工程と、
（ｂ）前記工程（ａ）にて前記予め定められた第１条件が満たされたと判断した場合に当該満たされた第１条件に基づいて、アプリケーションの機能を実行するための前記第１画像に対する第１操作と、アプリケーションの機能を実行するための前記第２画像に対する第２操作とを有効にする通常モード、及び、前記第２操作を制約する第２制約モードのうち、いずれか一つのモードに設定する工程と
を備える、表示制御方法。
【発明の詳細な説明】
【技術分野】
【０００１】
本発明は、表示部を制御する表示制御装置及び表示制御方法に関するものである。
【背景技術】
【０００２】
画面を見る方向によって異なる画像を一画面に表示可能な多重画像表示装置として、スプリットビュー（マルチビュー、デュアルビュー（登録商標）とも言う）方式の表示装置が知られており、近年、様々な分野においてスプリットビュー表示装置を適用することが提案されている。例えば、スプリットビュー表示装置と、その画面に配設されたタッチパネルとを、車載のナビゲーション装置に適用することが提案されている。このようなナビゲーション装置によれば、運転席側の方向と助手席側の方向とで異なる内容の画像を画面に表示するとともに、当該画像内に表示されているアイコンに対する操作をタッチパネルにて受け付けることが可能となる。【０００３】
しかしながら、上述のようなナビゲーション装置においては、運転席側の方向に表示される画像内のアイコンの位置と、助手席側の方向に表示される画像内のアイコンの位置とがスプリットビュー表示装置の画面上において重なっている場合がある。このような場合には、アイコンに対する操作をタッチパネルにて受け付けたとしても、運転席側の方向に表示されている画像内のアイコンに対して操作が実施されたのか、助手席側の方向に表示されている画像内のアイコンに対して操作が実施されたのかを判別できないという問題があった。【０００４】
そこで、特許文献１には、運転席側の方向に表示される画像内のアイコンの位置と、助手席側の方向に表示される画像内のアイコンの位置とが重ならないように、それらを互いに異なる位置に配置する技術が提案されている。
【先行技術文献】
【特許文献】
【０００５】
【特許文献１】国際公開第２００６／１００９０４号
【発明の概要】
【発明が解決しようとする課題】
【０００６】
しかしながら、例えば、運転者が、ドラッグ操作などの比較的広い範囲にわたる操作を実施した場合には、助手席側の方向に表示されている画像内のアイコンに対して知らないうちに操作を実施してしまうことがあるという問題があった。【０００７】
そこで、本発明は、上記のような問題点を鑑みてなされたものであり、ユーザが操作したことによって第２画像側（例えば助手席側）のアプリケーションの機能を知らないうちに実行してしまうことを抑制可能な技術を提供することを目的とする。
【課題を解決するための手段】
【０００８】
本発明に係る表示制御装置は、第１方向にて視認可能であるが第２方向にて視認できない第１画像と、第２方向にて視認可能であるが第１方向にて視認できない第２画像とを一つの画面上に表示可能な表示部を制御する表示制御装置であって、予め定められた第１条件が満たされたと判断した場合に当該満たされた第１条件に基づいて、アプリケーションの機能を実行するための第１画像に対する第１操作と、アプリケーションの機能を実行するための第２画像に対する第２操作とを有効にする通常モード、及び、前記第２操作を制約する第２制約モードのうち、いずれか一つのモードに設定する制御部を備える。
【発明の効果】
【０００９】
本発明によれば、予め定められた第１条件が満たされたと判断した場合に当該満たされた第１条件に基づいて、第２制約モード及び通常モードのうちいずれか一つのモードに設定する。したがって、第１方向のユーザが、操作したことによって第２画像側のアプリケーションの機能を知らないうちに実行してしまうことを抑制することができる。【００１０】
本発明の目的、特徴、態様、および利点は、以下の詳細な説明と添付図面とによって、より明白となる。
【図面の簡単な説明】
【００１１】
【図１】実施の形態１に係るナビゲーション装置の構成の一例を示すブロック図である。
【図２】実施の形態１に係るスプリットビュー表示部の構成の一例を示す断面図である。
【図３】実施の形態１に係るスプリットビュー表示部の表示例を示す図である。
【図４】実施の形態１に係るスプリットビュー表示部の構成の一例を示す断面図である。
【図５】実施の形態１に係るスプリットビュー表示部の表示例を示す図である。
【図６】タッチパネルによる指示体の検出の一例を示す図である。
【図７】関連ナビゲーション装置の左用画像及び右用画像の表示例を示す図である。
【図８】実施の形態１に係るナビゲーション装置の動作を示すフローチャートである。
【図９】実施の形態１に係るナビゲーション装置の動作を示すフローチャートである。
【図１０】実施の形態１に係るナビゲーション装置の左用画像及び右用画像の表示例を示す図である。
【図１１】実施の形態１に係るナビゲーション装置の左用画像及び右用画像の表示例を示す図である。
【図１２】実施の形態１の変形例１に係るナビゲーション装置の左用画像及び右用画像の表示例を示す図である。
【図１３】実施の形態１の変形例１に係るナビゲーション装置の左用画像及び右用画像の表示例を示す図である。
【図１４】実施の形態２に係るナビゲーション装置の動作を示すフローチャートである。
【図１５】実施の形態２に係るナビゲーション装置の動作を示すフローチャートである。
【図１６】実施の形態２に係るナビゲーション装置の動作を示すフローチャートである。
【図１７】実施の形態２に係るナビゲーション装置の左用画像及び右用画像の表示例を示す図である。
【図１８】実施の形態２に係るナビゲーション装置の左用画像及び右用画像の表示例を示す図である。
【図１９】実施の形態２に係るナビゲーション装置の左用画像及び右用画像の表示例を示す図である。
【発明を実施するための形態】
【００１２】
＜実施の形態１＞
本発明の実施の形態１として、本発明に係る表示制御装置を、車両に搭載可能なナビゲーション装置に適用した場合を例にして説明する。図１は、当該ナビゲーション装置の構成の一例を示すブロック図である。以下、図１に示されるナビゲーション装置１が搭載された車両を「自車」と記載して説明する。
【００１３】
ナビゲーション装置１は、スプリットビュー表示部２と、タッチパネル３と、操作入力処理部９と、インタフェース部１０と、記憶部１１と、左用画像生成部１２と、右用画像生成部１３と、これらを統括的に制御する制御部１４とを備えて構成されている。
【００１４】
インタフェース部１０は、無線通信部４、スピーカ５、ＤＶＤ（Digital Versatile Disk）プレーヤ６、エアコン７及び車内ＬＡＮ（Local Area Network）８と、制御部１４との間に接続されている。無線通信部４、スピーカ５、ＤＶＤプレーヤ６、エアコン７及び車内ＬＡＮ８と、制御部１４との間では、インタフェース部１０を介して各種情報や各種信号が双方向に出力される。以下、説明を簡単にするため、一方がインタフェース部１０を介して他方に情報を出力すると記載する代わりに、一方が他方に情報を出力すると記載する。制御部１４は、制御情報を、無線通信部４、スピーカ５、ＤＶＤプレーヤ６、エアコン７及び車内ＬＡＮ８に出力することにより、これらを制御することが可能となっている。
【００１５】
スプリットビュー表示部２は、例えば自車のダッシュボードなどに配設される。スプリットビュー表示部２は、左座席の方向（第１方向）にて視認可能であるが右座席の方向から視認できない第１画像（以下「左用画像」と記す）と、右座席の方向（第２方向）にて視認可能であるが左座席の方向から視認できない第２画像（以下「右用画像」と記す）とを一つの画面上に表示することが可能となっている。
【００１６】
後述するように、スプリットビュー表示部２は、左用画像内のアイコン（第１アイコン）と、右用画像内のアイコン（第２アイコン）と、後述するジェスチャー操作が実施され、地図などが表示されるジェスチャー領域とを表示する。以下、左用画像内のアイコン（第１アイコン）を「左用アイコン」と記し、右用画像内のアイコン（第２アイコン）を「右用アイコン」と記す。また、以下では、左座席が運転席であり、右座席が助手席である構成を例にして説明するが、左座席が助手席であり、右座席が運転席である構成では、以下の説明において左と右とを互いに読み替えたものと同様である。
【００１７】
スプリットビュー表示部２には、例えば、空間分割方式の表示装置が適用される。図２に当該表示装置の模式断面図を示す。図２に示す表示装置２００は、表示画面２０１と、視差バリア２０２とを備えている。表示画面２０１には、左用画像を表示するための第１画素２０１ａと、右用画像を表示するための第２画素２０１ｂとが水平方向（左右方向）に沿って交互に配置されている。視差バリア２０２は、左座席の方向に対しては第１画素２０１ａの光を通過させるが第２画素２０１ｂの光を遮断し、右座席の方向に対しては第２画素２０１ｂの光を通過させるが第１画素２０１ａの光を遮断する。このような構成によれば、左座席のユーザ１０１ａは、右用画像を視認できないが左用画像を視認することができ、右座席のユーザ１０１ｂは、左用画像を視認できないが右用画像を視認することができる。
【００１８】
スプリットビュー表示部２に空間分割方式の表示装置２００を適用した構成では、視差バリア２０２が左座席の方向に複数の第１画素２０１ａからの光を通過させることによって左用アイコンが視認可能に表示され、視差バリア２０２が右座席の方向に複数の第２画素２０１ｂからの光を通過させることによって右用アイコンが視認可能に表示される。このため、左用アイコンの表示領域の外縁部は、当該左用アイコンの表示に用いられた複数の第１画素２０１ａのうち外縁部に位置する第１画素２０１ａに対応し、右用アイコンの表示領域の外縁部は、当該右用アイコンの表示に用いられた複数の第２画素２０１ｂのうち外縁部に位置する第２画素２０１ｂに対応する。
【００１９】
図３は、空間分割方式のスプリットビュー表示部２の表示例を示す図であり、１フレームの左用画像及び右用画像が示されている。例えば、ＷＶＧＡ（Wide VGA）の表示装置においては、全体で横（ｘ軸）に８００ドット、縦（ｙ軸）に４８０ドットの画素を持つ。ＷＶＧＡの表示装置に対応する、図３のような空間分割方式のスプリットビュー表示装置は、表示装置の性能によっても異なるが、例えば、横に並べられた総数がＷＶＧＡの表示装置における横方向の画素数の２倍、つまり合計の画素数が横に１６００ドット、縦に４８０ドットの第１及び第２画素２０１ａ，２０１ｂで構成される。しかし、ここでは説明を容易にするため、スプリットビュー表示装置は、横に１３ドット、縦に４ドットの第１画素２０１ａと、それと同数の第２画素２０１ｂとで構成され、アイコンは横に４ドット、縦に１ドットの第１画素２０１ａまたは第２画素２０１ｂで表示されるものとして説明を行う。また、図３に示されるようなアイコンの１ドットのｘ軸（左右方向）のずれは、通常の視認位置からでは人の目では見分けがつかず、同一位置に表示されているように見える。
【００２０】
図３では、左用アイコンの外縁部（外枠）が破線で示されており、当該左用アイコンを表示するために、水平方向に配設された４つの第１画素２０１ａが用いられていることが示されている。また、図３では、右用アイコンの外縁部（外枠）が一点鎖線で示されており、当該右用アイコンを表示するために、水平方向に配設された４つの第２画素２０１ｂが用いられていることが示されている。なお、左用アイコンの表示に用いられる第１画素２０１ａの数、及び、右用アイコンの表示に用いられる第２画素２０１ｂの数は、４つに限ったものではない。また、図３には示されていないが、ジェスチャー領域の表示も、左用アイコン及び右用アイコンの表示と同様である。
【００２１】
以下の説明では、スプリットビュー表示部２に空間分割方式の表示装置２００が適用された構成において、左用アイコンの表示に用いられた複数（図３では４つ）の第１画素２０１ａの少なくとも１つが、右用アイコンの表示に用いられた複数（図３では４つ）の第２画素２０１ｂのうち外縁部に位置する第２画素２０１ｂ（図３では一点鎖線に対応する第２画素２０１ｂ）に挟まれている場合に、当該左用アイコンの表示領域の少なくとも一部と、当該右用アイコンの表示領域の少なくとも一部とがスプリットビュー表示部２の画面上において互いに重なると記す。また、当該構成において、右用アイコンの表示に用いられた複数（図３では４つ）の第２画素２０１ｂの少なくとも１つが、左用アイコンの表示に用いられた複数（図３では４つ）の第１画素２０１ａのうち外縁部に位置する第１画素２０１ａ（図３では破線に対応する第１画素２０１ａ）に挟まれている場合にも、当該左用アイコンの表示領域の少なくとも一部と、当該右用アイコンの表示領域の少なくとも一部とがスプリットビュー表示部２の画面上において互いに重なると記す。一方、当該構成において、右用アイコンの表示に用いられた第２画素２０１ｂ、及び、左用アイコンの表示に用いられた第１画素２０１ａの一方が、他方に挟まれていない場合に、当該左用アイコンの表示領域と、当該右用アイコンの表示領域とがスプリットビュー表示部２の画面上において離間すると記す。また、この記述は、左用アイコンと右用アイコンについてだけでなく、ジェスチャー領域と左用アイコンまたは右用アイコンとについても同様に記す。
【００２２】
以上、スプリットビュー表示部２に、空間分割方式の表示装置２００が適用された構成について説明した。しかしこれに限ったものではなく、スプリットビュー表示部２には、例えば、時分割方式の表示装置が適用されてもよい。図４に当該表示装置の模式断面図を示す。図４に示す表示装置２５０は、表示画面２５１と、視差バリア２５２とを備えている。表示画面２５１は、第１期間では左用画像を画素２５１ｃによって表示し、第２期間では右用画像を画素２５１ｃによって表示する。視差バリア２５２は、第１期間では左座席の方向に対して画素２５１ｃの光を通過させるが右座席の方向に対して画素２５１ｃの光を遮断し、第２期間では右座席の方向に対して画素２５１ｃの光を通過させるが左座席の方向に対して画素２５１ｃの光を遮断する。なお、図４には、第１期間の状態が示されている。
【００２３】
上述のような構成によれば、左座席のユーザ１０１ａは、右用画像を視認できないが左用画像を視認することができ、右座席のユーザ１０１ｂは、左用画像を視認できないが右用画像を視認することができる。なお、右座席のユーザ１０１ｂの目は、第１期間において、スプリットビュー表示部２から画素２５１ｃの光を受けていない。しかし、この第１期間は非常に短く設定されていることから、第１期間に目が光を受けていないことは右座席のユーザ１０１ｂに認識されない。一方、第２期間に目が受けた光の残像効果によって、第１期間においても第２期間の画像が表示されているように右座席のユーザ１０１ｂに認識される。同様に、第２期間に目が光を受けていないことは左座席のユーザ１０１ａに認識されず、第１期間に目が受けた光の残像効果によって、第２期間においても第１期間の画像が表示されているように左座席のユーザ１０１ａに認識される。
【００２４】
スプリットビュー表示部２に時分割方式の表示装置２５０を適用した構成では、視差バリア２５２が、第１期間に左座席の方向に複数の画素２５１ｃからの光を通過させることによって左用アイコンが視認可能に表示され、第２期間に右座席の方向に複数の画素２５１ｃからの光を通過させることによって右用アイコンが視認可能に表示される。このため、左用アイコンの表示領域の外縁部は、当該左用アイコンの表示に用いられた複数の画素２５１ｃのうち外縁部に位置する画素２５１ｃに対応し、右用アイコンの表示領域の外縁部は、当該右用アイコンの表示に用いられた複数の画素２５１ｃのうち外縁部に位置する画素２５１ｃに対応する。
【００２５】
図５（ａ）及び図５（ｂ）は、時分割方式のスプリットビュー表示部２の表示例を示す図であり、１フレームの左用画像及び右用画像が示されている。例えば、ＷＶＧＡの表示装置においては、上述したように、全体で横（ｘ軸）に８００ドット、縦（ｙ軸）に４８０ドットの画素を持つ。ＷＶＧＡの表示装置に対応する、図５（ａ）及び図５（ｂ）のような時分割方式のスプリットビュー表示装置は、表示装置の性能によっても異なるが、例えば、横に８００ドット、縦に４８０ドットの画素２５１ｃで構成される。しかし、ここでは説明を容易にするため、スプリットビュー表示装置は、横に１３ドット、縦に４ドットの画素２５１ｃで構成され、アイコンは横に３ドット、縦に１ドットの画素２５１ｃで表示されるものとして説明を行う。
【００２６】
図５（ａ）では、第１期間に表示される左用アイコンの外縁部（外枠）が破線で示されており、当該左用アイコンを表示するために、水平方向に配設された３つの画素２５１ｃが用いられていることが示されている。図５（ｂ）では、第２期間に表示される右用アイコンの外縁部（外枠）が破線で示されており、当該右用アイコンを表示するために、水平方向に配設された３つの画素２５１ｃの一部が用いられていることが示されている。なお、左用アイコンの表示に用いられる画素２５１ｃの数、及び、右用アイコンの表示に用いられる画素２５１ｃの数は、３つに限ったものではない。また、図５（ａ）及び図５（ｂ）には示されていないが、ジェスチャー領域の表示も、左用アイコン及び右用アイコンの表示と同様である。
【００２７】
以下の説明では、スプリットビュー表示部２に時分割方式の表示装置２５０が適用された構成において、第１期間に左用アイコンの表示に用いられた複数の画素２５１ｃのうち少なくとも１つと、第２期間に右用アイコンの表示に用いられた複数の画素２５１ｃのうち少なくとも１つとが一致する場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられ、かつ、第２期間に右用アイコンの表示に用いられた画素２５１ｃが存在しない場合に、当該左用アイコンの表示領域と、当該右用アイコンの表示領域とがスプリットビュー表示部２の画面上において離間すると記す。また、この記述は、左用アイコンと右用アイコンについてだけでなく、ジェスチャー領域と左用アイコンまたは右用アイコンとについても同様に記す。
【００２８】
詳細な構成については説明を省略するが、スプリットビュー表示部２には、空間分割方式と時分割方式とを組み合わせた方式の表示装置が適用されてもよい。そして、例えば、第１期間に左用アイコンの表示に用いられた画素の少なくとも一部が、第２期間に右用アイコンの表示に用いられた複数の画素のうち外縁部に位置する画素に挟まれている場合、または、第２期間に右用アイコンの表示に用いられた画素の少なくとも一部が、第１期間に左用アイコンの表示に用いられた複数の画素のうち外縁部に位置する画素に挟まれている場合に、当該左用アイコンの表示領域の少なくとも一部と、当該右用アイコンの表示領域の少なくとも一部とがスプリットビュー表示部２の画面上において互いに重なると記す。一方、第１期間に左用アイコンの表示に用いられた画素、及び、第２期間に右用アイコンの表示に用いられた画素の一方が、他方に挟まれていない場合に、当該左用アイコンの表示領域と、当該右用アイコンの表示領域とがスプリットビュー表示部２の画面上において離間すると記す。また、この記述は、左用アイコンと右用アイコンについてだけでなく、ジェスチャー領域と左用アイコンまたは右用アイコンとについても同様に記す。
【００２９】
なお、スプリットビュー方式を用いた表示装置の具体的な構成は、例えば特開２００５−０７８０８０号公報及び国際公開第２０１２／０７０４４４号などに開示されている。なお、以上の説明では言及しなかったが、空間分割方式及び時分割方式のいずれにおいても、短い期間（１／３０［秒］）で画素の走査が行われる。
【００３０】
図１に戻って、タッチパネル３の検出面は、スプリットビュー表示部２の画面に配設されている。タッチパネル３（入力部）は、アプリケーションの機能を実行するための左用画像に対する第１操作（以下「左用操作」）と、アプリケーションの機能を実行するための右用画像に対する第２操作（以下「右用操作」）とを一律に受け付ける。本実施の形態１に係るタッチパネル３は、図６に示すように、ユーザ（運転者及び助手席の同乗者）の指などの指示体との距離が最短となる検出面上の点の位置（Ｘ，Ｙ）と、指示体と検出面（当該点）との間の距離Ｚとを含む三次元の位置（Ｘ，Ｙ，Ｚ）を、指示体の位置として検出する。
【００３１】
指示体（図６では指２１）とタッチパネル３の検出面との間の距離Ｚを示す。距離Ｚ＝０である場合には、指示体（図６では指２１）がタッチパネル３の検出面を接触（タッチ）していることを意味する。
【００３２】
このようなタッチパネル３には、例えば、検出面と指示体との間に形成される静電容量に基づいて指示体の三次元の位置（検出面上の基準点に対する指示体の三次元の位置）を検出する静電式タッチパネルが適用される。タッチパネル３は、以上のような指示体の三次元の位置を定期的に検出し、当該三次元の位置を示す信号を、操作入力処理部９に出力する。
【００３３】
無線通信部４は、例えばＤＳＲＣ（Dedicate Short Range Communication）及び携帯電話機などを介してサーバと通信を行う。無線通信部４は、サーバから受信した情報（例えばダウンロードした情報など）を制御部１４に出力したり、制御部１４から出力された情報をサーバに送信したりする。また、無線通信部４は、ラジオ放送及びテレビ放送を受信し、それら放送から取得した情報を制御部１４に出力する。
【００３４】
スピーカ５（音声出力部）は、制御部１４から出力された音声信号に基づいて音声を出力する。
【００３５】
ＤＶＤプレーヤ６は、ＤＶＤに記録されたＡＶ（Audio-video）情報を再生し、当該ＡＶ情報を制御部１４に出力する。
【００３６】
エアコン７は、制御部１４の制御により、自車の室内の温度や湿度を調整する。
【００３７】
車内ＬＡＮ８は、自車のＥＣＵ（Electronic Control Unit）やＧＰＳ（Global Positioning System）装置などと通信を行う。例えば、車内ＬＡＮ８は、ＥＣＵから取得した自車の速度や、ＧＰＳ装置から取得した自車の現在位置（例えば緯度及び経度）を制御部１４に出力する。
【００３８】
操作入力処理部９には、スプリットビュー表示部２に表示されているアイコンの位置を示すアイコン位置情報が制御部１４から入力される。操作入力処理部９は、当該アイコン位置情報と、タッチパネル３の出力信号（指示体の三次元の位置を示す信号）とに基づいて、タッチパネル３、ひいてはスプリットビュー表示部２に表示されているアイコンなどに対して操作が実施されたか否かを判定する。ここでは、操作入力処理部９は、タッチパネル３の出力信号が、距離Ｚ＝０を示し、かつ、当該出力信号が示す指示体の位置が、左用アイコンの表示領域に重なる（当該指示体が、当該左用アイコンの内側に位置する）と判定した場合には、当該左用アイコンに対する操作が実施されたと判定する。同様に、操作入力処理部９は、タッチパネル３の出力信号が、距離Ｚ＝０を示し、かつ、当該出力信号が示す指示体の位置が、右用アイコンの表示領域に重なる（当該指示体が、当該右用アイコンの内側に位置する）と判定した場合には、当該右用アイコンに対する操作が実施されたと判定する。そして、操作入力処理部９は、その判定結果を制御部１４に出力する。
【００３９】
また、操作入力処理部９は、タッチパネル３の出力信号（指示体の三次元の位置を示す信号）に基づいて、タッチパネル３の検出面に対するタッチ操作などのポインティング操作以外の予め定められたジェスチャー操作（以下「ジェスチャー操作」と略記する）が実施されたか否かを判定する。ここでは、操作入力処理部９は、タッチパネル３の出力信号が、距離Ｚ＝０を示し、かつ、当該出力信号が示す指示体の位置が、ジェスチャー領域に重なりながら変化する（当該指示体の二次元の位置（Ｘ，Ｙ）が、当該ジェスチャー領域の内側に位置しながら変化する）と判定した場合には、当該ジェスチャー領域に対するジェスチャー操作が実施されたと判定する。そして、操作入力処理部９は、その判定結果を制御部１４に出力する。
【００４０】
ジェスチャー操作は、例えば、指示体が予め定められた時間よりも短い時間で検出面を擦るフリック操作、指示体が予め定められた時間よりも長い時間で検出面を擦るドラッグ操作、及び、二つの指示体が検出面に接触した状態でそれらの間の距離を変更するピンチ操作などを含んでおり、後述する予め定められた第１ジェスチャー操作及び予め定められた第２ジェスチャー操作として適用される。なお、ドラッグ操作は、上述した操作に限ったものではなく、指示体がタッチパネルに触れたまま検出面を擦る操作として適用されてもよい。また、フリック操作は、上述した操作に限ったものではなく、指示体がタッチパネルに触れた状態からその検出面をはらう操作として適用されてもよい。また、ジェスチャー操作は、２点タッチ後に当該２点タッチの２点を続けて用いるジェスチャー操作を含んでもよく、または、２点タッチ後に当該２点タッチの２点のうち１点を離して残りの１点を続けて用いるジェスチャー操作を含んでもよい。
【００４１】
以上のように本実施の形態１では、スプリットビュー表示部２に表示されているアイコンなどに対する操作が実施されたか否かを判定する処理を、操作入力処理部９によって実施するものとして説明するが、当該判定する処理は制御部１４によって実施されてもよい。また、図１では、操作入力処理部９は、タッチパネル３及び制御部１４とは別に設けられているが、これに限ったものではなく、タッチパネル３の機能としてタッチパネル３に備えられていてもよいし、制御部１４の機能として制御部１４に備えられていてもよい。
【００４２】
記憶部１１は、例えばハードディスクドライブ、ＤＶＤ及びそのドライブ装置、ブルーレイディスク及びそのドライブ装置、または、半導体メモリなどの記憶装置から構成される。記憶部１１は、制御部１４が動作するのに必要なプログラムのほか、制御部１４に用いられる情報を記憶している。制御部１４に用いられる情報には、例えば、アプリケーション（アプリケーションソフトウェア）、アプリケーションの機能を実行する際に操作されるアイコンが配置された画像、及び、地図情報などが含まれる。なお、以下の説明では、アプリケーションの機能を実行する際に操作されるアイコンが配置された画像（例えば図１０（ａ）及び図１０（ｂ）に対応する画像）を、「アイコン配置画像」と記す。「アイコン配置画像」は、地図情報にアイコンを表示した画像も含む。
【００４３】
左用画像生成部１２は、制御部１４から出力された表示情報に基づいて、左用画像を表示するための表示信号を生成し、当該表示信号をスプリットビュー表示部２に出力する。スプリットビュー表示部２は、左用画像生成部１２から表示信号を受けると、当該表示信号に基づいて左用画像を表示する。
【００４４】
右用画像生成部１３は、制御部１４から出力された表示情報に基づいて、右用画像を表示するための表示信号を生成し、当該表示信号をスプリットビュー表示部２に出力する。スプリットビュー表示部２は、右用画像生成部１３から表示信号を受けると、当該表示信号に基づいて右用画像を表示する。
【００４５】
ここで、左用画像生成部１２が生成する表示信号には、左用画像に用いられる複数の画素のそれぞれに例えば（１，１）、（２，１）、…、（８００，１）、（１，２）、…（８００，２）、…、（８００，４８０）という順序で割り当てられた画素番号が含まれている。同様に、右用画像生成部１３が生成する表示信号にも、右用画像に用いられる複数の画素のそれぞれに例えば（１，１）、（１，２）、…、（８００，４８０）という順序で割り当てられた画素番号が含まれる。このため、左用アイコンの表示に用いられる少なくとも１つの画素の画素番号と、右用アイコンの表示に用いられる少なくとも１つの画素の画素番号とが一致する場合には、当該左用アイコンの表示領域の少なくとも一部と、当該右用アイコンの表示領域の少なくとも一部とがスプリットビュー表示部２の画面上において互いに重なることに相当する。ここで、（ｘ，ｙ）は、当該画面上の左上を（１，１）とし、ｘ軸は右方向を正、ｙ軸は下方向を正としたｘｙ座標に対応した画素位置を示す。
【００４６】
制御部１４は、例えばＣＰＵ（Central Processing Unit）から構成されており、当該ＣＰＵが記憶部１１に記憶されたプログラムを実行することにより、ナビゲーション装置１にて様々なアプリケーションを実行すること、ひいては当該実行されたアプリケーションに応じてスピーカ５などを制御することが可能となっている。
【００４７】
例えば、制御部１４は、ナビゲーションのアプリケーションを実行した場合には、自車の現在位置と、タッチパネル３の出力信号に基づく目的地と、地図情報とに基づいて現在位置から目的地までの経路を探索し、当該経路に沿った案内を表示するための表示情報、及び、当該案内を音声出力するための音声信号を生成する。この結果、上述の案内が左用画像または右用画像として表示されるとともに、上述の案内の音声がスピーカ５にて出力される。
【００４８】
また、例えば、制御部１４は、ＤＶＤ再生のアプリケーションを実行した場合には、ＤＶＤプレーヤ６からのＡＶ情報を表示するための表示情報、及び、ＡＶ情報を音声出力するための音声信号を生成する。この結果、ＤＶＤに記憶された映像が左用画像または右用画像として表示されるとともに、ＤＶＤに記憶された音声がスピーカ５にて出力される。
【００４９】
また、制御部１４は、左用画像側にて実行可能な（左用画像側から実行可能な）１以上のアプリケーションに対応する１つのアイコン配置画像を記憶部１１から取得し、当該取得したアイコン配置画像を左用画像として表示させる。これにより、当該アプリケーションの機能を左用画像側にて実行するための操作の対象となるアイコンが、スプリットビュー表示部２（左用画像）に表示される。以下、左用画像として表示可能なアイコン配置画像（例えば図８（ａ）に対応する画像）を「左用アイコン配置画像」と記す。なお、左用画像として表示されている左用アイコン配置画像内のアイコンは、上述の左用アイコンである。
【００５０】
同様に、制御部１４は、右用画像側にて実行可能な（右用画像側から実行可能な）１以上のアプリケーションに対応する１つのアイコン配置画像を記憶部１１から取得し、当該取得したアイコン配置画像を右用画像として表示させる。これにより、当該アプリケーションの機能を右用画像側にて実行するための操作の対象となるアイコンが、スプリットビュー表示部２（右用画像）に表示される。以下、右用画像として表示可能なアイコン配置画像（例えば図８（ｂ）に対応する画像）を「右用アイコン配置画像」と記す。なお、右用画像として表示されている右用アイコン配置画像内のアイコンは、上述の右用アイコンである。
【００５１】
さて、以上の構成要素からなる本実施の形態１に係るナビゲーション装置１には、上述の右用操作も上述の左用操作も制約せずに両方を有効にする通常モードと、上述の右用操作を制約する右制約モードとが規定されている。
【００５２】
そして、制御部１４は、予め定められた第１条件が満たされたと判断した場合に当該満たされた第１条件に基づいて、通常モード及び右制約モード（第２制約モード）のうちいずれか一つのモードに設定する。
【００５３】
＜関連するナビゲーション装置＞
ここでは、本実施の形態１に係るナビゲーション装置１と関連するナビゲーション装置（以下「関連ナビゲーション装置」と記す）について説明する。なお、関連ナビゲーション装置においても、図１で説明した構成要素と同一または類似するものについては同じ符号を付す。
【００５４】
図７（ａ）及び図７（ｂ）は、関連ナビゲーション装置（スプリットビュー表示部２）の左用画像及び右用画像の表示例を示す図である。図７（ａ）の左用画像には、左用アイコンＬ１，Ｌ２，Ｌ３（以下これらのアイコンをまとめて「左用アイコンＬ１〜Ｌ３」と記すこともある）と、上述のジェスチャー領域ＧＬとが配置された左用アイコン配置画像が表示されている。図７（ｂ）の右用画像には、右用アイコンＲ１，Ｒ２，Ｒ３，Ｒ４，Ｒ５（以下これらのアイコンをまとめて「右用アイコンＲ１〜Ｒ５」と記すこともある）が配置された右用アイコン配置画像が表示されている。
【００５５】
さて、図７（ａ）及び図７（ｂ）に示すような表示では、左用画像のジェスチャー領域ＧＬの少なくとも一部と、右用アイコンＲ１〜Ｒ５の表示領域の少なくとも一部とはスプリットビュー表示部２の画面上において互いに重なっている。このため、関連ナビゲーション装置では、左座席のユーザ（運転者）がジェスチャー領域ＧＬでジェスチャー操作を実施した場合には、知らないうちに右用アイコンＲ１〜Ｒ５に対しても操作を実施してしまうことがあるという問題があった。そこで、以下で説明するように、本実施の形態１に係るナビゲーション装置１によれば、左座席のユーザ（運転者）が、操作したことによって右用画像側のアプリケーションの機能を知らないうちに実行してしまうことを抑制することが可能となっている。
【００５６】
＜本実施の形態１に係るナビゲーション装置の動作＞
図８及び図９は、本実施の形態１に係るナビゲーション装置１の動作を示すフローチャートである。なお、図８及び図９に示される動作はＣＰＵが記憶部１１に記憶されたプログラムを実行することによって行われる。以下、ナビゲーション装置１の動作について図８及び図９を用いて説明する。
【００５７】
まず、図８のステップＳ１にて、初期動作を実行するための操作が実施された場合に、制御部１４は初期動作を実行する。ここでは、初期動作として、制御部１４は、左用画像側及び右用画像側にて初期に実行すべきアプリケーションを記憶部１１から取得し、当該アプリケーションを実行する。
【００５８】
ステップＳ２にて、制御部１４は、左用画像側にて実行されているアプリケーションに対応する左用アイコン配置画像を記憶部１１から取得するとともに、右用画像側にて実行されているアプリケーションに対応する右用アイコン配置画像を記憶部１１から取得する。
【００５９】
ステップＳ３にて、制御部１４は、取得した左用アイコン配置画像をスプリットビュー表示部２の左用画像として表示し、取得した右用アイコン配置画像をスプリットビュー表示部２の右用画像として表示する。また、制御部１４は通常モードに設定する。
【００６０】
図１０（ａ）及び図１０（ｂ）は、本実施の形態１に係るナビゲーション装置１（スプリットビュー表示部２）のステップＳ３における左用画像及び右用画像の表示例を示す図である。図１０（ａ）の左用画像には、図７（ｂ）の左用画像に、左優先ボタンＬＰ（予め定められた第１ボタン）が追加されている。ここでは、左優先ボタンＬＰの表示領域は、右用アイコンＲ１〜Ｒ５の表示領域からスプリットビュー表示部２の画面上において離間して配置されているので、左優先ボタンＬＰに対する操作が実施されても、右用アイコンＲ１〜Ｒ５に対する操作が実施されることが抑制されている。図１０（ｂ）の右用画像は、図７（ｂ）の右用画像と同じである。
【００６１】
図８のステップＳ４にて、操作入力処理部９は、タッチパネル３からの出力信号に基づき、左用画像内の左優先ボタンＬＰに対する操作が実施されたか否かを判定する。左優先ボタンＬＰに対する操作が実施されなかったと判定された場合にはステップＳ５に進み、実施されたと判定された場合には図９のステップＳ７に進む。
【００６２】
ステップＳ５にて、操作入力処理部９は、通常モードで有効な操作が実施されたか否かを判定する。ここでは、操作入力処理部９は、左用アイコンＬ１〜Ｌ３もしくは右用アイコンＲ１〜Ｒ５に対する操作、または、ジェスチャー領域ＧＬに対するジェスチャー操作が実施されたか否かを判定する。実施されたと判定された場合にはステップＳ６に進み、実施されなかったと判定された場合にはステップＳ４に戻る。なお、ステップＳ４に戻る際において、地図が左用画像または右用画像として表示されており、かつ、自車の位置が変化していた場合には、制御部１４は、当該変化に応じて当該地図をスクロールさせてもよい。このことは、ステップＳ５以外のステップからステップＳ４に戻る際においても同様である。
【００６３】
ステップＳ６にて、制御部１４は、実施された操作に応じた機能を実行する。ここでは、制御部１４は、操作されたアイコンまたはジェスチャー領域に対応するアプリケーションの機能を実行する。その後ステップＳ４に戻る。なお、操作されたアイコンまたはジェスチャー領域に対して、アイコン配置画像が予め対応付けられて記憶部１１に記憶されている場合には、ステップＳ６からステップＳ３に戻って、当該アイコン配置画像がスプリットビュー表示部２に表示されてもよい。
【００６４】
図８のステップＳ４から図９のステップＳ７に進んだ場合、当該ステップＳ７にて、制御部１４は、左優先ボタンＬＰに対する操作が実施されたとステップＳ４で判定されたことによって第１条件が満たされたと判断して、右用操作を制約する右制約モードに設定する。ここでは、制御部１４は、左用操作として実施される第１ジェスチャー操作（例えばジェスチャー領域ＧＬで受け付け可能なジェスチャー操作）を有効にし、かつ、右用操作として実施される第２ジェスチャー操作を無効にすることによって、右用操作を制約する。以下、左用操作として実施される第１ジェスチャー操作を「左ジェスチャー操作」と記し、右用操作として実施される第２ジェスチャー操作を「右ジェスチャー操作」と記す。なお、ここで有効にされる左ジェスチャー操作と、無効にされる右ジェスチャー操作とは同じジェスチャー操作が適用されてもよいし、異なるジェスチャー操作が適用されてもよい。
【００６５】
また、制御部１４は、右用操作を制約していることをスプリットビュー表示部２に識別可能に表示させる。図１１（ａ）及び図１１（ｂ）は、本実施の形態１に係るナビゲーション装置１のステップＳ７における左用画像及び右用画像の表示例を示す図である。
【００６６】
図１１（ａ）に示されるように、制御部１４は、左優先ボタンＬＰをステップＳ３の左優先ボタンＬＰ（図１０（ａ））よりも明るい色で表示させる（なお、以下においては、ハッチングの点の密度が高いほど暗い画像であることを意味するものとする）。
【００６７】
また、図１１（ｂ）に示されるように、制御部１４は、右用アイコンＲ１〜Ｒ５を、ステップＳ３の右用アイコンＲ１〜Ｒ５（図１０（ｂ））よりも暗い色で表示させるとともに、右用画像の背景画像を、ステップＳ３の右用画像の背景画像（図１０（ｂ））よりも暗い色で表示させることにより、右用操作を制約していることを識別可能に表示させる。また、ステップＳ７にて表示される右用画像は、これに限ったものではなく、例えば、背景画像をぼかした画像であってもよいし、右用アイコンＲ１〜Ｒ５が表示されない画像であってもよい。
【００６８】
図９のステップＳ８にて、操作入力処理部９は、ステップＳ４の判定を再度行う。すなわち、操作入力処理部９は、タッチパネル３からの出力信号に基づき、左用画像内の左優先ボタンＬＰに対する操作が実施されたか否かを再判定する。左優先ボタンＬＰに対する操作が実施されたと判定された場合にはステップＳ９に進み、実施されなかったと判定された場合にはステップＳ１０に進む。
【００６９】
ステップＳ９にて、制御部１４は、左優先ボタンＬＰに対する操作が再度実施されたとステップＳ８で判定されたことによって第１条件が満たされたと判断して、通常モードに設定する。すなわち、制御部１４は、右用操作の制約を解除する。そして、制御部１４は、ステップＳ８の左用画像（図１１（ａ））及び右用画像（図１１（ｂ））の表示からステップＳ３の元の左用画像（図１０（ａ））及び元の右用画像（図１０（ｂ））の表示に戻す。その後、ステップＳ４に戻る。
【００７０】
ステップＳ８からステップＳ１０に進んだ場合、当該ステップＳ１０にて、操作入力処理部９は、右制約モードで有効な操作（ここでは、左用アイコンＬ１〜Ｌ３に対する操作及びジェスチャー領域ＧＬに対する左ジェスチャー操作などの左用操作）が実施されたか否かを判定する。右制約モードで有効な操作が実施されたと判定された場合にはステップＳ１１に進み、実施されなかったと判定された場合にはステップＳ１２に進む。
【００７１】
ステップＳ１１にて、制御部１４は、実施された操作に応じた機能を実行する。ここでは、制御部１４は、操作されたアイコンまたはジェスチャー領域に対応するアプリケーションの機能を実行する。その後ステップＳ８に戻る。なお、操作されたアイコンまたはジェスチャー領域に対して、アイコン配置画像が予め対応付けられて記憶部１１に記憶されている場合には、ステップＳ１１からステップＳ３に戻って、当該アイコン配置画像がスプリットビュー表示部２に表示されてもよい。
【００７２】
ステップＳ１０からステップＳ１２に進んだ場合、当該ステップＳ１２にて、制御部１４は、右制約モードに設定してから予め定められた時間までの間に左用操作に応じたアプリケーションの機能が実行されず、かつ通常モードに設定されなかったか否かを判断する。予め定められた時間までの間に実行及び設定のいずれも実行されなかったと判断した場合にはステップＳ９に進み、そうでない場合にはステップＳ８に戻る。
【００７３】
すなわち、ステップＳ１２からステップＳ９に進んだ場合には、当該ステップＳ９にて、制御部１４は、右制約モードに設定してから予め定められた時間までの間に左用操作に応じたアプリケーションの機能が実行されず、かつ通常モードに設定されなかったとステップＳ１２で判断したことによって第１条件が満たされたと判断して、通常モードに設定する。
【００７４】
＜効果＞
以上のような本実施の形態１に係るナビゲーション装置１によれば、予め定められた第１条件が満たされたと判断した場合に当該満たされた第１条件に基づいて、通常モード及び右制約モードのうち、いずれか一つのモードに設定する。したがって、左座席のユーザ（運転者）が、操作したことによって右用画像側のアプリケーションの機能を知らないうちに実行してしまうことを抑制することができる。
【００７５】
また、本実施の形態１によれば、タッチパネル３からの出力信号に基づき左用画像内の左優先ボタンＬＰに対する操作が実施されたと判定された場合に、第１条件が満たされたと判断して右用操作を制約する右制約モードに設定する。したがって、左座席のユーザ（運転者）は、左優先ボタンＬＰを操作した後は通常モードが設定されるまで、右用画像側のアプリケーションの機能を実行してしまうことを気にせずに操作することができる。
【００７６】
特に、以上に説明した本実施の形態１によれば、比較的広い範囲にわたる左ジェスチャー操作または右ジェスチャー操作の実施が想定される場合において、上述の効果は有効である。
【００７７】
また、本実施の形態１によれば、右制約モードに設定してから予め定められた時間までの間に左用操作に応じたアプリケーションの機能が実行されず、かつ通常モードに設定されなかった場合に、第１条件が満たされたと判断して通常モードに設定する。したがって、右用操作の制約を必要最小限に留めることができる。
【００７８】
なお、以上では、後述の変形例や実施の形態との都合上、図６のように指示体の三次元の位置（Ｘ，Ｙ，Ｚ）を検出できるタッチパネルを用いた構成について説明した。しかしこれに限ったものではなく、タッチした指示体の二次元の位置（Ｘ，Ｙ）を検出できるタッチパネルを用いてもよい。
【００７９】
なお、本実施の形態１では、左優先ボタンに対する操作が実施されたと判定された場合と、左優先ボタンに対する操作が再度実施されたと判定された場合と、右制約モードに設定してから予め定められた時間までの間に左用操作に応じたアプリケーションの機能が実行されず、かつ通常モードに設定されなかった場合とにおいて、制御部１４は第１条件が満たされたと判断した。しかしこれに限ったものではなく、例えば、次に説明する変形例を適用することができる。
【００８０】
＜実施の形態１の変形例１＞
実施の形態１では、制御部１４は、左優先ボタンＬＰに対する操作が実施されたと判定された場合に、第１条件が満たされたと判断して右制約モードに設定した。しかし、これに限ったものではなく、以下の第１例〜第４例に説明する構成であってもよい。
【００８１】
第１例の構成では、タッチパネル３は、複数の指示体によって同時に複数点でタッチされた場合に、当該複数点のそれぞれの位置を示す信号を出力する。操作入力処理部９は、タッチパネル３からの出力信号に基づいて、複数の指示体が同時に複数点でタッチパネル３をタッチする操作（以下「多点タッチ操作」などと記す）が実施されたか否かを判定する。
【００８２】
そして、制御部１４は、複数の指示体による多点タッチ操作が実施されたと操作入力処理部９で判定された場合に、第１条件が満たされたと判断して右制約モードに設定する。以上のような第１例の構成によれば、例えば、図１２に示すように、２本の指２１による２点タッチ操作が実施された場合には、右制約モードに設定することができる。なお、第１例の構成では、図６のように指示体の三次元の位置（Ｘ，Ｙ，Ｚ）を検出できるタッチパネルを用いてもよいし、タッチした指示体の二次元の位置（Ｘ，Ｙ）を検出できるタッチパネルを用いてもよい。
【００８３】
第２例の構成では、タッチパネル３は、実施の形態１と同様に、指示体の三次元の位置を示す信号を出力する。操作入力処理部９は、タッチパネル３からの出力信号に基づいて、タッチパネル３から離間した指示体によって予め定められた軌道を有する操作（以下「軌道操作」と記す）が実施されたか否かを判定する。軌道操作には、例えば、図６の距離Ｚの変化が予め定められた閾値以下であり、かつ、二次元の位置（Ｘ，Ｙ）の変化が予め定められた閾値以上である操作、タッチパネル３の検出面に対して平行または略平行に移動する操作、タッチパネル３の検出面から離れた位置で指によって円を描くような操作などが適用される。
【００８４】
そして、制御部１４は、指示体による軌道操作が実施されたと操作入力処理部９で判定された場合に、第１条件が満たされたと判断して右制約モードに設定する。以上のような第２例の構成によれば、軌道操作が実施された場合には、右制約モードに設定することができる。
【００８５】
第３例の構成では、タッチパネル３は、上述の距離Ｚの代わりに、指示体によって検出面が押し込まれた量（押し込み量）を検出し、当該検出結果を示す信号を出力する。操作入力処理部９は、タッチパネル３からの出力信号が示す押し込み量が予め定められた値以下である場合には、タッチ操作が実施されたと判定し、押し込み量が予め定められた値よりも大きい場合には、押し込み操作が実施されたと判定する。
【００８６】
そして、制御部１４は、指示体による押し込み操作が実施されたと判定された場合に、第１条件が満たされたと判断して右制約モードに設定する。以上のような第３例の構成によれば、例えば、指によって押し込み操作が実施された場合には、右制約モードに設定することができる。なお、この構成において、タッチ操作と押し込み操作とを互いに置き換えてもよい。すなわち、制御部１４は、指示体によるタッチ操作が実施されたと判定された場合に、第１条件が満たされたと判断して右制約モードに設定してもよい。
【００８７】
第４例の構成では、タッチパネル３は、実施の形態１と同様に、指示体の三次元の位置を示す信号を出力する。操作入力処理部９は、タッチパネル３からの出力信号に基づいて、指示体による操作（アイコン操作及びジェスチャー操作）が実施される直前の行為（予め定義された行為）が実施されたまたは実施中であるかを判定する。例えば、操作入力処理部９は、上述の距離Ｚ（図６）が予め定められた閾値Ｚ１（例えば３〜１０ｃｍ程度）以下になった場合に、当該予め定義された行為が実施されたまたは実施中であると判定する。なお、実施中であると判定される行為は、実施されたと判定された上述の行為から継続する行為であってもよいし、継続しない行為であってもよい。
【００８８】
制御部１４は、操作が実施される直前の行為が実施されたまたは実施中であると操作入力処理部９で判定された場合、すなわち距離Ｚが閾値Ｚ１以下になった場合には、図１３（ａ）及び図１３（ｂ）に示す表示をスプリットビュー表示部２に表示させる。具体的には、制御部１４は、左用画像において右用アイコンＲ１〜Ｒ５に対応する領域ＲＡ１〜ＲＡ５を識別可能に表示させるとともに、右用画像において左用アイコンＬ１〜Ｌ３及びジェスチャー領域ＧＬに対応する領域ＬＡ１〜ＬＡ３及び領域ＧＬＡを識別可能に表示させる。
【００８９】
操作入力処理部９は、タッチパネル３からの出力信号に基づいて、背景画像（左用アイコンＬ１〜Ｌ３、ジェスチャー領域ＧＬ及び右用アイコンＲ１〜Ｒ５以外の画像、換言すれば領域ＬＡ１〜ＬＡ３，ＧＬＡ，ＲＡ１〜ＲＡ５以外の画像）に対する操作（例えばタッチ操作）が実施されたか否かを判定する。
【００９０】
そして、制御部１４は、図１３（ａ）及び図１３（ｂ）に示すような背景画像に対する操作が実施されたと操作入力処理部９で判定された場合には、第１条件が満たされたと判断して右制約モードに設定する。以上のような第４例の構成によれば、例えば、指によって背景画像に対する操作が実施された場合には、右制約モードに設定することができる。また、タッチするごとに、通常モードと右制約モードとを切り替えるようにしてもよい。また、現在のモードを示す表示を行なってもよい。
【００９１】
以上、第１例〜第４例の構成について説明したが、これらの構成によっても、実施の形態１と同様の効果を得ることができる。また、これらの構成によれば、左優先ボタンＬＰを左用画像（左用アイコン配置画像）から省くことができる。
【００９２】
また、上述の第１〜第４例とは別に、例えば、制御部１４は、予め定められた時間内における同一点への指示体による複数回のタッチ操作が実施されたと操作入力処理部９で判定された場合に、第１条件が満たされたと判断して右制約モードに設定してもよい。また、例えば、制御部１４は、予め定められた時間以上継続して、指示体によってタッチされたと操作入力処理部９で判定された場合に、第１条件が満たされたと判断して右制約モードに設定してもよい。
【００９３】
＜実施の形態１の変形例２＞
実施の形態１に係る制御部１４は、右制約モードに設定する場合には、左ジェスチャー操作を有効にし、かつ、右ジェスチャー操作を無効にした（図９のステップＳ７）。
【００９４】
これに対し、本変形例２に係る制御部１４は、右制約モードに設定する場合には、左用画像側にて実行されているアプリケーションの種類に基づいて、左ジェスチャー操の種類、及び、右ジェスチャー操作の種類を変更するように構成されている。
【００９５】
例えば、制御部１４は、左用画像側にて実行されているアプリケーションがナビゲーション機能のアプリケーションである際に右制約モードに設定する場合には、有効となる左ジェスチャー操作にドラッグ操作を適用し、かつ、無効となる右ジェスチャー操作にドラッグ操作を適用してもよい。一方、制御部１４は、左用画像側にて実行されているアプリケーションがＤＶＤ再生機能のアプリケーションである際に右制約モードに設定する場合には、有効となる左ジェスチャー操作にフリック操作を適用し、かつ、無効となる右ジェスチャー操作にフリック操作を適用してもよい。
【００９６】
また、制御部１４は、左用画像側にて実行されているアプリケーションの種類に基づいて、有効となる左ジェスチャー操作の数、及び、無効となる右ジェスチャー操作の数も変更してもよい。
【００９７】
例えば、制御部１４は、左用画像側にて実行されているアプリケーションがナビゲーション機能のアプリケーションである際に右制約モードに設定する場合には、有効となる左ジェスチャー操作に２つのジェスチャー操作（例えばドラッグ操作及びピンチ操作）を適用し、かつ、無効となる右ジェスチャー操作に当該２つのジェスチャー操作を適用する。そして、制御部１４は、左用画像側にて実行されているアプリケーションがＤＶＤ再生機能のアプリケーションである際に右制約モードに設定する場合には、有効となる左ジェスチャー操作に１つのジェスチャー操作（例えばフリック操作）を適用し、かつ、無効となる右ジェスチャー操作に当該１つのジェスチャー操作を適用にしてもよい。また、右側のアプリケーションが必要とするジェスチャー操作を、右側のアプリケーションでは無効（禁止）するようにしてもよい。
【００９８】
以上の内容を概括すると、本変形例２に係る制御部１４は、左用画像側にて実行されているアプリケーションの種類に基づいて、左ジェスチャー操作及び右ジェスチャー操作を変更するように構成されている。このような本変形例２に係る構成によれば、有効にする左ジェスチャー操作、及び、無効にする右ジェスチャー操作を、適正化することができる。
【００９９】
なお、本変形例２の構成では、図６のように指示体の三次元の位置（Ｘ，Ｙ，Ｚ）を検出できるタッチパネルを用いてもよいし、タッチした指示体の二次元の位置（Ｘ，Ｙ）を検出できるタッチパネルを用いてもよい。
【０１００】
＜実施の形態２＞
実施の形態１では、通常モード及び右制約モードが規定されていた。本発明の実施の形態２では、通常モード及び右制約モードだけでなく、左用操作を制約する左制約モード（第１制約モード）が追加されている。以下、本実施の形態２に係るナビゲーション装置１の構成について説明する。
【０１０１】
なお、本実施の形態２に係るナビゲーション装置１のブロック構成は、実施の形態１のブロック構成と同じであることから、その図示については省略する。そして、本実施の形態２に係るナビゲーション装置１において、実施の形態１で説明した構成要素と同一または類似するものについては同じ符号を付し、以下においては異なる点を中心に説明する。
【０１０２】
本実施の形態２に係る制御部１４は、予め定められた第２条件が満たされたと判断した場合に当該満たされた第２条件に基づいて、右制約モード、左制約モード、及び、通常モードのうち、いずれか一つのモードに設定する。
【０１０３】
なお、ここでは、後述するように、左優先ボタンまたは右優先ボタンに対する操作が実施されたと判定された場合と、左優先ボタンまたは右優先ボタンに対する操作が再度実施されたと判定された場合と、右制約モードに設定してから予め定められた時間までの間に左用操作に応じたアプリケーションの機能が実行されず、かつ通常モード及び左制約モードのいずれにも設定されなかった場合と、左制約モードに設定してから予め定められた時間までの間に右用操作に応じたアプリケーションの機能が実行されず、かつ通常モード及び右制約モードのいずれにも設定されなかった場合とにおいて、制御部１４は、上述の予め定められた第２条件が満たされたと判断するものとする。すなわち、本実施の形態２に係る第２条件は、実施の形態１に係る第１条件と一部が重複しているが、これに限ったものではなく、第２条件と第１条件とは完全に重複してもよく、第２条件と第１条件とは全く重複していなくてもよい。
【０１０４】
図１４，図１５及び図１６は、本実施の形態２に係るナビゲーション装置１の動作を示すフローチャートである。なお、図１４のステップＳ１及びＳ２では、実施の形態１のステップＳ１及びＳ２と同様の動作が行われるので、その説明については省略する。
【０１０５】
ステップＳ２後のステップＳ３にて、制御部１４は、取得した左用アイコン配置画像をスプリットビュー表示部２の左用画像として表示し、取得した右用アイコン配置画像をスプリットビュー表示部２の右用画像として表示する。また、制御部１４は通常モードに設定する。
【０１０６】
図１７（ａ）及び図１７（ｂ）は、本実施の形態２に係るナビゲーション装置１のステップＳ３における左用画像及び右用画像の表示例を示す図である。図１７（ａ）の左用画像は、図１０（ａ）の左用画像と同じである。図１７（ｂ）の右用画像には、右用アイコンＲ１，Ｒ２，Ｒ３（以下これらのアイコンをまとめて「右用アイコンＲ１〜Ｒ３」と記すこともある）と、上述のジェスチャー領域ＧＲと、右優先ボタンＲＰ（予め定められた第２ボタン）とが配置された右用アイコン配置画像が表示されている。
【０１０７】
なお、左用アイコンＬ１〜Ｌ３の表示領域の少なくとも一部と、右用画像のジェスチャー領域ＧＲの少なくとも一部とはスプリットビュー表示部２の画面上において互いに重なっている。また、右用アイコンＲ１〜Ｒ３の表示領域の少なくとも一部と、左用画像のジェスチャー領域ＧＬの少なくとも一部とはスプリットビュー表示部２の画面上において互いに重なっている。また、右優先ボタンＲＰは、左用アイコンＬ１〜Ｌ３からスプリットビュー表示部２の画面上において離間して配置されているので、右優先ボタンＲＰに対する操作が実施されても、左用アイコンＬ１〜Ｌ３などに対する操作が実施されることが抑制されている。また、右優先ボタンＲＰの表示領域の少なくとも一部は、左用画像のジェスチャー領域ＧＬの少なくとも一部とスプリットビュー表示部２の画面上において重なっていない。したがって、右座席のユーザ（ここでは助手席の同乗者）が右優先ボタンＲＰを操作することが抑制され、左座席のユーザ（ここでは運転者）に悪影響を与えることが抑制されると考えられる。
【０１０８】
図１４のステップＳ４ａにて、操作入力処理部９は、タッチパネル３からの出力信号に基づき、左用画像内の左優先ボタンＬＰに対する操作が実施されたか否かを判定する。左優先ボタンＬＰに対する操作が実施されなかったと判定された場合にはステップＳ４ｂに進み、実施されたと判定された場合には図１５のステップＳ７ａに進む。
【０１０９】
ステップＳ４ｂにて、操作入力処理部９は、タッチパネル３からの出力信号に基づき、右用画像内の右優先ボタンＲＰに対する操作が実施されたか否かを判定する。右優先ボタンＲＰに対する操作が実施されなかったと判定された場合にはステップＳ５に進み、実施されたと判定された場合には図１６のステップＳ７ｂに進む。
【０１１０】
なお、図１４のステップＳ５及びＳ６では、実施の形態１のステップＳ５及びＳ６と同様の動作が行われるので、その説明については省略する。
【０１１１】
次に図１５の動作について説明する。ステップＳ４ａから図１５のステップＳ７ａに進んだ場合、当該ステップＳ７ａにて、制御部１４は、左優先ボタンＬＰに対する操作が実施されたとステップＳ４ａで判定されたことによって第２条件が満たされたと判断して、右用操作を制約する右制約モードに設定する。ここでは、制御部１４は、左ジェスチャー操作（例えばジェスチャー領域ＧＬで受け付け可能なジェスチャー操作）を有効にし、かつ、右ジェスチャー操作を無効にすることによって右用操作を制約する。なお、ここで有効にされる左ジェスチャー操作と、無効にされる右ジェスチャー操作とは同じジェスチャー操作が適用されてもよいし、異なるジェスチャー操作が適用されてもよい。
【０１１２】
また、制御部１４は、右用操作を制約していることをスプリットビュー表示部２に識別可能に表示させる。図１８（ａ）及び図１８（ｂ）は、本実施の形態２に係るナビゲーション装置１のステップＳ７ａにおける左用画像及び右用画像の表示例を示す図である。
【０１１３】
図１８（ａ）に示されるように、制御部１４は、左優先ボタンＬＰをステップＳ３の左優先ボタンＬＰ（図１７（ａ））よりも明るい色で表示させる。
【０１１４】
また、図１８（ｂ）に示されるように、制御部１４は、右用アイコンＲ１〜Ｒ３及びジェスチャー領域ＧＲを、ステップＳ３の右用アイコンＲ１〜Ｒ３及びジェスチャー領域ＧＲ（図１７（ｂ））よりも暗い色で表示させるとともに、右用画像の背景画像を、ステップＳ３の右用画像の背景画像（図１７（ｂ））よりも暗い色で表示させる。さらに、制御部１４は、右優先ボタンＲＰを、ステップＳ３の右優先ボタンＲＰ（図１７（ｂ））よりも暗い色で表示させる。これにより、制御部１４は、右用操作を制約していることを識別可能に表示させる。なお、ステップＳ７ａに表示される右用画像は、これに限ったものではなく、例えば、背景画像をぼかした画像であってもよいし、右用アイコンＲ１〜Ｒ３などが表示されない画像であってもよい。また、ジェスチャー操作が無効（禁止）とされている場合は、ジェスチャー領域または背景を暗く表示し、タッチ操作が無効（禁止）とされている場合は、操作アイコンを暗く表示してもよい。このように表示する構成によれば、どの操作が無効（禁止）とされているかをユーザに認識させることができるという効果を奏する。
【０１１５】
図１５のステップＳ８ａにて、操作入力処理部９は、ステップＳ４ａの判定を再度行う。すなわち、操作入力処理部９は、タッチパネル３からの出力信号に基づき、左用画像内の左優先ボタンＬＰに対する操作が実施されたか否かを再判定する。左優先ボタンＬＰに対する操作が実施されたと判定された場合にはステップＳ９ａに進み、実施されなかったと判定された場合にはステップＳ１０ａに進む。
【０１１６】
ステップＳ９ａにて、制御部１４は、左優先ボタンＬＰに対する操作が再度実施されたとステップＳ８ａで判定されたことによって第２条件が満たされたと判断して、通常モードに設定する。すなわち、制御部１４は、右用操作の制約を解除する。そして、制御部１４は、ステップＳ７ａの左用画像（図１８（ａ））及び右用画像（図１８（ｂ））の表示からステップＳ３の元の左用画像（図１７（ａ））及び元の右用画像（図１７（ｂ））の表示に戻す。その後、ステップＳ４ａに戻る。
【０１１７】
ステップＳ８ａからステップＳ１０ａに進んだ場合、当該ステップＳ１０ａにて、操作入力処理部９は、右制約モードで有効な操作（ここでは、左用アイコンＬ１〜Ｌ３に対する操作及びジェスチャー領域ＧＬに対する左ジェスチャー操作などの左用操作）が実施されたか否かを判定する。右制約モードで有効な操作が実施されたと判定された場合にはステップＳ１１ａに進み、実施されなかったと判定された場合にはステップＳ１２ａに進む。
【０１１８】
ステップＳ１１ａにて、制御部１４は、実施された操作に応じた機能を実行する。ここでは、制御部１４は、操作されたアイコンまたはジェスチャー領域に対応するアプリケーションの機能を実行する。その後ステップＳ８ａに戻る。なお、操作されたアイコンまたはジェスチャー領域に対して、アイコン配置画像が予め対応付けられて記憶部１１に記憶されている場合には、ステップＳ１１ａからステップＳ３に戻って、当該アイコン配置画像がスプリットビュー表示部２に表示されてもよい。
【０１１９】
ステップＳ１０ａからステップＳ１２ａに進んだ場合、当該ステップＳ１２ａにて、制御部１４は、右制約モードに設定してから予め定められた時間までの間に左用操作に応じたアプリケーションの機能が実行されず、かつ通常モード及び左制約モードのいずれにも設定されなかったか否かを判断する。予め定められた時間までの間に実行及び設定のいずれも実行されなかったと判断した場合にはステップＳ９ａに進み、そうでない場合にはステップＳ８ａに戻る。
【０１２０】
すなわち、ステップＳ１２ａからステップＳ９ａに進んだ場合には、当該ステップＳ９ａにて、制御部１４は、右制約モードに設定してから予め定められた時間までの間に左用操作に応じたアプリケーションの機能が実行されず、かつ通常モード及び左制約モードのいずれにも設定されなかったとステップＳ１２ａで判断したことによって第２条件が満たされたと判断して、通常モードに設定する。
【０１２１】
次に図１６の動作について説明する。ステップＳ４ｂから図１６のステップＳ７ｂに進んだ場合、当該ステップＳ７ｂにて、制御部１４は、右優先ボタンＲＰに対する操作が実施されたとステップＳ４ｂで判定されたことによって第２条件が満たされたと判断して、左用操作を制約する左制約モードに設定する。ここでは、制御部１４は、右ジェスチャー操作（例えばジェスチャー領域ＧＲで受け付け可能なジェスチャー操作）を有効にし、かつ、左ジェスチャー操作を無効にすることによって左用操作を制約する。なお、ここで有効にされる右ジェスチャー操作と、無効にされる左ジェスチャー操作とは同じジェスチャー操作が適用されてもよいし、異なるジェスチャー操作が適用されてもよい。
【０１２２】
また、制御部１４は、左用操作を制約していることをスプリットビュー表示部２に識別可能に表示させる。図１９（ａ）及び図１９（ｂ）は、本実施の形態２に係るナビゲーション装置１のステップＳ７ｂにおける左用画像及び右用画像の表示例を示す図である。
【０１２３】
図１９（ｂ）に示されるように、制御部１４は、右優先ボタンＲＰをステップＳ３の右優先ボタンＲＰ（図１７（ｂ））よりも明るい色で表示させる。
【０１２４】
また、図１９（ａ）に示されるように、制御部１４は、左用アイコンＬ１〜Ｌ３及びジェスチャー領域ＧＬを、ステップＳ３の左用アイコンＬ１〜Ｌ３及びジェスチャー領域ＧＬ（図１７（ａ））よりも暗い色で表示させるとともに、左用画像の背景画像を、ステップＳ３の左用画像の背景画像（図１７（ａ））よりも暗い色で表示させる。さらに、制御部１４は、左優先ボタンＬＰを、ステップＳ３の左優先ボタンＬＰ（図１７（ａ））よりも暗い色で表示させる。これにより、制御部１４は、左用操作を制約していることを識別可能に表示させる。なお、ステップＳ７ｂに表示される左用画像は、これに限ったものではなく、例えば、背景画像をぼかした画像であってもよいし、左用アイコンＬ１〜Ｌ３などが表示されない画像であってもよい。また、ジェスチャー操作が無効（禁止）されている場合は、ジェスチャー領域または背景を暗く表示し、タッチ操作が無効（禁止）されている場合は、操作アイコンを暗く表示してもよい。このように表示する構成によれば、どの操作が無効（禁止）されているかをユーザに認識させることができるという効果を奏する。
【０１２５】
図１６のステップＳ８ｂにて、操作入力処理部９は、ステップＳ４ｂの判定を再度行う。すなわち、操作入力処理部９は、タッチパネル３からの出力信号に基づき、右用画像内の右優先ボタンＲＰに対する操作が実施されたか否かを再判定する。右優先ボタンＲＰに対する操作が実施されたと判定された場合にはステップＳ９ｂに進み、実施されなかったと判定された場合にはステップＳ１０ｂに進む。
【０１２６】
ステップＳ９ｂにて、制御部１４は、右優先ボタンＲＰに対する操作が再度実施されたとステップＳ８ｂで判定されたことによって第２条件が満たされたと判断して、通常モードに設定する。すなわち、制御部１４は、左用操作の制約を解除する。そして、制御部１４は、ステップＳ７ｂの左用画像（図１９（ａ））及び右用画像（図１９（ｂ））の表示からステップＳ３の元の左用画像（図１７（ａ））及び元の右用画像（図１７（ｂ））の表示に戻す。その後、ステップＳ４ａに戻る。
【０１２７】
ステップＳ８ｂからステップＳ１０ｂに進んだ場合、当該ステップＳ１０ｂにて、操作入力処理部９は、左制約モードで有効な操作（ここでは、右用アイコンＲ１〜Ｒ３に対する操作及びジェスチャー領域ＧＲに対する右ジェスチャー操作などの右用操作）が実施されたか否かを判定する。左制約モードで有効な操作が実施されたと判定された場合にはステップＳ１１ｂに進み、実施されなかったと判定された場合にはステップＳ１２ｂに進む。
【０１２８】
ステップＳ１１ｂにて、制御部１４は、実施された操作に応じた機能を実行する。ここでは、制御部１４は、操作されたアイコンまたはジェスチャー領域に対応するアプリケーションの機能を実行する。その後ステップＳ８ｂに戻る。なお、操作されたアイコンまたはジェスチャー領域に対して、アイコン配置画像が予め対応付けられて記憶部１１に記憶されている場合には、ステップＳ１１ｂからステップＳ３に戻って、当該アイコン配置画像がスプリットビュー表示部２に表示されてもよい。
【０１２９】
ステップＳ１０ｂからステップＳ１２ｂに進んだ場合、当該ステップＳ１２ｂにて、制御部１４は、左制約モードに設定してから予め定められた時間までの間に右用操作に応じたアプリケーションの機能が実行されず、かつ通常モード及び右制約モードのいずれにも設定されなかったか否かを判断する。予め定められた時間までの間に実行及び設定のいずれも実行されなかったと判断した場合にはステップＳ９ｂに進み、そうでない場合にはステップＳ８ｂに戻る。
【０１３０】
すなわち、ステップＳ１２ｂからステップＳ９ｂに進んだ場合には、当該ステップＳ９ｂにて、制御部１４は、左制約モードに設定してから予め定められた時間までの間に右用操作に応じたアプリケーションの機能が実行されず、かつ通常モード及び右制約モードのいずれにも設定されなかったとステップＳ１２ｂで判断したことによって第２条件が満たされたと判断して、通常モードに設定する。
【０１３１】
＜効果＞
以上のような本実施の形態２に係るナビゲーション装置１によれば、予め定められた第２条件が満たされたと判断した場合に当該満たされた第２条件に基づいて、右制約モード、左制約モード及び通常モードのうち、いずれか一つのモードに設定する。したがって、左座席のユーザ（運転者）が操作したことによって右用画像側のアプリケーションの機能を知らないうちに実行してしまうことを抑制することができるとともに、右座席のユーザ（助手席の同乗者）が操作したことによって左用画像側のアプリケーションの機能を知らないうちに実行してしまうことを抑制することができる。
【０１３２】
また、本実施の形態２によれば、左優先ボタンＬＰに対する操作が実施されたと判定された場合に、第２条件が満たされたと判断して右用操作を制約する右制約モードに設定し、右優先ボタンＲＰに対する操作が実施されたと判定された場合に、第２条件が満たされたと判断して左用操作を制約する左制約モードに設定する。したがって、左座席のユーザ（運転者）は、左優先ボタンＬＰを操作した後は通常モードが設定されるまで、右用画像側のアプリケーションの機能を実行してしまうことを気にせずに操作することができる。同様に、右座席のユーザ（助手席の同乗者）は、右優先ボタンＲＰを操作した後は通常モードが設定されるまで、左用画像側のアプリケーションの機能を実行してしまうことを気にせずに操作することができる。
【０１３３】
特に、以上に説明した本実施の形態２によれば、比較的広い範囲にわたる左ジェスチャー操作または右ジェスチャー操作の実施が想定される場合において、上述の効果は有効である。
【０１３４】
また、本実施の形態２によれば、右制約モードに設定してから予め定められた時間までの間に左用操作に応じたアプリケーションの機能が実行されず、かつ通常モード及び左制約モードのいずれにも設定されなかった場合に、第２条件が満たされたと判断して通常モードに設定する。したがって、右用操作の制約を必要最小限に留めることができる。同様に、左制約モードに設定してから予め定められた時間までの間に右用操作に応じたアプリケーションの機能が実行されず、かつ通常モード及び右制約モードのいずれにも設定されなかった場合に、第２条件が満たされたと判断して通常モードに設定する。したがって、左用操作の制約を必要最小限に留めることができる。
【０１３５】
なお、本実施の形態２の構成では、図６のように指示体の三次元の位置（Ｘ，Ｙ，Ｚ）を検出できるタッチパネルを用いてもよいし、タッチした指示体の二次元の位置（Ｘ，Ｙ）を検出できるタッチパネルを用いてもよい。
【０１３６】
＜実施の形態２の変形例１＞
実施の形態２では、制御部１４は、左優先ボタンＬＰまたは右優先ボタンＲＰに対する操作が実施されたと判定された場合に、第２条件が満たされたと判断して右制約モードまたは左制約モードに設定した。しかし、これに限ったものではなく、実施の形態１の変形例１で説明した第１例〜第４例と同様の構成が適用されてもよい。
【０１３７】
上述の第１例を適用すると、制御部１４は、複数の指示体による多点タッチ操作が実施されたと操作入力処理部９で判定された場合に、第２条件が満たされたと判断して右制約モードまたは左制約モードに設定することになる。
【０１３８】
ここで、制御部１４は、複数の指示体による多点タッチ操作が実施されたと判定された場合に、当該複数の指示体が同時にタッチした複数点の数に基づいて、右制約モード及び左制約モードのうち設定すべき一方を選択してもよい。このような第１例の構成によれば、例えば、２本の指による２点タッチ操作が実施された場合には右制約モードに設定し、３本の指による３点タッチ操作が実施された場合には左制約モードに設定することが可能となる。したがって、ユーザの意思により右制約モード及び左制約モードを選択することができる。
【０１３９】
また、上述の第１例を適用する別構成として、制御部１４は、複数の指示体による多点タッチ操作が実施されたと判定された場合に、当該多点タッチ操作に続けてドラッグ操作などのジェスチャー操作が実施されたか否かに基づいて、右制約モード及び左制約モードのうち設定すべき一方を選択してもよい。このような第１例の別構成によれば、例えば、２点タッチ操作だけが実施された場合には右制約モードに設定し、２点タッチ操作に続けてドラッグ操作などのジェスチャー操作も実施された場合には左制約モードに設定することが可能となる。したがって、ユーザの意思により右制約モード及び左制約モードを選択することができる。
【０１４０】
なお、第１例の構成では、図６のように指示体の三次元の位置（Ｘ，Ｙ，Ｚ）を検出できるタッチパネルを用いてもよいし、タッチした指示体の二次元の位置（Ｘ，Ｙ）を検出できるタッチパネルを用いてもよい。
【０１４１】
上述の第１例ではなく上述の第２例を適用すると、制御部１４は、指示体による軌道操作が実施されたと操作入力処理部９で判定された場合に、第２条件が満たされたと判断して右制約モードまたは左制約モードに設定することになる。
【０１４２】
ここで、制御部１４は、指示体による軌道操作が実施されたと判定された場合に、当該軌道操作における指示体の移動の方向に基づいて、右制約モード及び左制約モードのうち設定すべき一方を選択してもよい。このような第２例の構成によれば、例えば、指示体がタッチパネル３の縦方向に沿って移動する軌道操作が実施された場合には右制約モードに設定し、指示体がタッチパネル３の横方向に沿って移動する軌道操作が実施された場合には左制約モードに設定することが可能となる。したがって、ユーザの意思により右制約モード及び左制約モードを選択することができる。なお、軌道操作における指示体の移動方向は、縦方向（Ｙ軸方向）及び横方向（Ｘ軸方向）の組み合わせに限ったものではなく、Ｘ軸方向，Ｙ軸方向，Ｚ軸方向を任意に組み合わせた方向が適用されてもよい。また、互いに異なる三方向を適用して、当該三方向に右制約モード、左制約モード、通常モードがそれぞれ対応付けられてもよい。また、Ｚ軸方向（タッチパネル３の検出面の垂直方向）に指示体が移動したことを検出した場合には、制御部１４が通常モードを選択する構成としてもよい。
【０１４３】
上述の第１例または第２例ではなく上述の第３例を適用すると、制御部１４は、指示体による押し込み操作が実施されたと操作入力処理部９で判定された場合に、第２条件が満たされたと判断して右制約モードまたは左制約モードに設定することになる。
【０１４４】
ここで、制御部１４は、指示体による押し込み操作が実施されたと判定された場合に、当該押し込み操作と同時に実施されるジェスチャー操作の種類に基づいて、右制約モード及び左制約モードのうち設定すべき一方を選択してもよい。このような第３例の構成によれば、例えば、押し込み操作を伴うドラッグ操作が実施された場合には右制約モードに設定し、押し込み操作を伴うピンチ操作が実施された場合には左制約モードに設定することが可能となる。したがって、ユーザの意思により右制約モード及び左制約モードを選択することができる。
【０１４５】
上述の第１例〜第３例ではなく上述の第４例を適用すると、制御部１４は、指示体による背景画像に対する操作（例えばタッチ操作）が実施されたと操作入力処理部９で判定された場合に、第２条件が満たされたと判断して右制約モードまたは左制約モードに設定することになる。
【０１４６】
ここで、制御部１４は、指示体による背景画像に対する操作が実施されたと判定された場合に、当該背景画像を区分して得られる２つの区分画像のうち、いずれの区分画像に対して操作が実施されたかに基づいて、右制約モード及び左制約モードのうち設定すべき一方を選択してもよい。なお、制御部１４は、ユーザが２つの区分画像を識別できるように、事前に２つの区分画像を互いに異なる色などで表示させてもよい。このような第４例の構成によれば、例えば、背景画像のうち左側の区分画像に対する操作が実施された場合には右制約モードに設定し、背景画像のうち右側の区分画像に対する操作が実施された場合には左制約モードに設定することが可能となる。したがって、ユーザの意思により右制約モード及び左制約モードを選択することができる。
【０１４７】
以上、第１例〜第４例を適用する構成について説明したが、これらの構成によっても、実施の形態２と同様の効果を得ることができる。また、これらの構成によれば、左優先ボタンＬＰを左用画像（左用アイコン配置画像）から省くことができるとともに、右優先ボタンＲＰを右用画像（右用アイコン配置画像）から省くことができる。
【０１４８】
また、上述の第１〜第４例とは別に、例えば、制御部１４は、予め定められた時間内における同一点への指示体による複数回のタッチ操作が実施されたと操作入力処理部９で判定された場合に、第２条件が満たされたと判断して右制約モードまたは左制約モードに設定してもよい。また、例えば、制御部１４は、予め定められた時間以上継続して、指示体によってタッチされたと操作入力処理部９で判定された場合に、第２条件が満たされたと判断して右制約モードまたは左制約モードに設定してもよい。
【０１４９】
＜実施の形態２の変形例２＞
実施の形態２に係る制御部１４は、右制約モードに設定する場合には、左ジェスチャー操作を有効にし、かつ、右ジェスチャー操作を無効にした（図１５のステップＳ７ａ）。そして、実施の形態２に係る制御部１４は、左制約モードに設定する場合には、右ジェスチャー操作を有効にし、かつ、左ジェスチャー操作を無効にした（図１６のステップＳ７ｂ）。
【０１５０】
これに対し、本変形例２に係る制御部１４は、左用画像側にて実行されているアプリケーションの種類、及び、右用画像側にて実行されているアプリケーションの種類に基づいて、左ジェスチャー操作及び右ジェスチャー操作を変更するように構成されている。例えば、制御部１４は、右制約モードを設定する場合には、実施の形態１の変形例２と同様に、左用画像側にて実行されているアプリケーションの種類に基づいて、有効となる左ジェスチャー操作と、無効となる右ジェスチャー操作を変更する。一方、制御部１４は、左制約モードを設定する場合には、右用画像側にて実行されているアプリケーションの種類に基づいて、有効となる右ジェスチャー操作と、無効となる左ジェスチャー操作を変更する。
【０１５１】
このような本変形例２に係る構成によれば、左ジェスチャー操作及び右ジェスチャー操作を適正化することができる。
【０１５２】
なお、本変形例２の構成では、図６のように指示体の三次元の位置（Ｘ，Ｙ，Ｚ）を検出できるタッチパネルを用いてもよいし、タッチした指示体の二次元の位置（Ｘ，Ｙ）を検出できるタッチパネルを用いてもよい。
【０１５３】
＜実施の形態１及び実施の形態２に関するその他の変形例＞
図７（ａ）及び図７（ｂ）に示した例などにおいて、左座席のユーザ（運転者）が操作したことによって知らないうちに右用画像側のアプリケーションの機能を実行してしまうのは、左用画像のジェスチャー領域の少なくとも一部と、右用アイコンの表示領域の少なくとも一部とがスプリットビュー表示部２の画面上において互いに重なっていることが大きな要因であると考えられる。このことに鑑みて、制御部１４は、左用画像及び右用画像の一方のジェスチャー領域の少なくとも一部と、左用画像及び右用画像の他方のアイコンの表示領域の少なくとも一部とがスプリットビュー表示部２の画面上において互いに重なっている場合には、その旨を左用画像及び右用画像に表示させるように構成されてもよいし、その旨をスピーカ５から音声出力させるように構成されてもよい。このような構成によれば、ユーザが慎重に操作を実施することが期待でき、結果として相手のアイコンなどを操作する可能性が低減される。
【０１５４】
その一方で、右用画像及び左用画像の一方に表示されたジェスチャー領域と、右用画像及び左用画像の他方に表示された全てのアイコンとがスプリットビュー表示部２の画面上において離間していれば、上述の問題は発生しにくいと考えられる。このことに鑑みて、制御部１４は、左用画像及び右用画像の一方のジェスチャー領域と、左用画像及び右用画像の他方の全てのアイコンとがスプリットビュー表示部２の画面上において離間している場合には、第１条件（または第２条件）が満たされたと判断して通常モードに設定するように構成されてもよい。
【０１５５】
また、ジェスチャー操作が必要なアプリケーションを実行する場合には、制御部１４は、右用画像及び左用画像のうち一方（好ましくは助手席側の画像）において他方よりも優先的に、ジェスチャー領域を表示させるように構成されてもよい。
【０１５６】
以上の説明では、入力部としてタッチパネル３を適用した構成について説明した。しかし、入力部は、アプリケーションの機能を実行するための左用画像に対する操作と、アプリケーションの機能を実行するための右用画像に対する操作とを一律に受け付けるものであればよく、タッチパネル３に限ったものではない。例えば、入力部には、スプリットビュー表示部２と離れて設けられたタッチパッドが適用されてもよい。このとき、タッチパッドには指示体の三次元の位置を求める機能を有し、タッチパッドの操作領域上の指示体の位置を、スプリットビュー表示部２の表示領域に対応付けておき、指示体の位置を示す点やアイコン表示で行ってもよい。
【０１５７】
＜表示制御装置をナビゲーション装置以外にも適用した変形例＞
以上で説明した表示制御装置は、車両に備え付けられたナビゲーション装置１だけでなく、車両に搭載可能な、ＰＮＤ（Portable Navigation Device）、及び、携帯端末（例えば携帯電話機、スマートフォン、及びタブレットなど）、並びにサーバなどを適宜に組み合わせてシステムとして構築される表示制御装置にも適用することができる。この場合、以上で説明したナビゲーション装置１の各機能あるいは各構成要素は、前記システムを構築する各機器に分散して配置される。
【０１５８】
例えば、以上の説明では、表示制御装置を、ナビゲーション装置１に適用した構成について説明したが、これに限ったものではなく、ナビゲーション機能を持たないが表示機能を有する所謂ディスプレイオーディオ、ＰＮＤ、携帯端末、設置型の表示装置、及び、サーバのいずれかに適用してもよい。
【０１５９】
また、以上では、スプリットビュー方式の表示部に、ナビゲーション装置１が備えるスプリットビュー表示部２を適用した構成について説明したが、これに限ったものではない。例えば、表示制御装置をスマートフォンに適用する場合には、スマートフォンが備えるスプリットビュー方式の表示部が適用されてもよい。
【０１６０】
なお、本発明は、その発明の範囲内において、各実施の形態及び各変形例を自由に組み合わせたり、各実施の形態及び各変形例を適宜、変形、省略したりすることが可能である。
【０１６１】
本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１６２】
１  ナビゲーション装置、２  スプリットビュー表示部、３  タッチパネル、１４  制御部、２１  指、ＬＰ  左優先ボタン、ＲＰ  右優先ボタン。
【図１】
2015083266.tif 000003
【図２】
2015083266.tif 000004
【図３】
2015083266.tif 000005
【図４】
2015083266.tif 000006
【図５】
2015083266.tif 000007
【図６】
2015083266.tif 000008
【図７】
2015083266.tif 000009
【図８】
2015083266.tif 000010
【図９】
2015083266.tif 000011
【図１０】
2015083266.tif 000012
【図１１】
2015083266.tif 000013
【図１２】
2015083266.tif 000014
【図１３】
2015083266.tif 000015
【図１４】
2015083266.tif 000016
【図１５】
2015083266.tif 000017
【図１６】
2015083266.tif 000018
【図１７】
2015083266.tif 000019
【図１８】
2015083266.tif 000020
【図１９】
2015083266.tif 000021
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコンに対する第２ジェスチャー操作を含む第２操作とを有効にする通常モード、及び、前記第１操作を制約せずに前記第２操作を制約する第２制約モードのうち、いずれか一つのモードに設定する制御部
を備える、表示制御装置。
【請求項２】
請求項１に記載の表示制御装置であって、
前記制御部は、
前記第２制約モードに設定する場合には、前記第２ジェスチャー操作を無効にする、表示制御装置。
【請求項３】
請求項１または請求項２に記載の表示制御装置であって、
前記表示部における前記第１画像の前記アイコンと、前記表示部における前記第２画像の前記アイコンとは重ならない、表示制御装置。
【請求項４】
請求項１から請求項３のうちのいずれか１項に記載の表示制御装置であって、
前記表示部における前記第１画像の前記ジェスチャー領域と、前記表示部における前記第２画像の前記アイコンとは、少なくとも一部が重なる、表示制御装置。
【請求項５】
請求項１から請求項４のうちのいずれか１項に記載の表示制御装置であって、
前記制御部は、
前記第１操作と前記第２操作とを一律に受け付ける入力部からの出力信号に基づき、前記第１画像内の予め定められた第１ボタンに対する操作が実施されたと判定された場合に、前記条件が満たされたと判断して前記第２制約モードに設定し、
前記表示部における前記第１画像の前記第１ボタンと、前記表示部における前記第２画像の前記アイコンとは重ならない、表示制御装置。
【請求項６】
請求項１から請求項４のうちのいずれか１項に記載の表示制御装置であって、
前記制御部は、
指示体の三次元の位置を検出することによって前記第１操作と前記第２操作とを一律に受け付ける入力部からの出力信号に基づき、指示体が前記入力部から離間した状態で当該指示体によって予め定められた軌道を有する操作が実施されたと判定された場合に、前記条件が満たされたと判断して前記第２制約モードに設定する、表示制御装置。
【請求項７】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコン及び当該アイコンを除くジェスチャー領域に対する第２ジェスチャー操作を含む第２操作とを有効にする通常モード、前記第２操作を制約せずに前記第１操作を制約する第１制約モード、及び、前記第１操作を制約せずに前記第２操作を制約する第２制約モードのうち、いずれか一つのモードに設定する制御部
を備える、表示制御装置。
【請求項８】
請求項７に記載の表示制御装置であって、
前記制御部は、
前記第１制約モードに設定する場合には、前記第１ジェスチャー操作を無効にし、前記第２制約モードに設定する場合には、前記第２ジェスチャー操作を無効にする、表示制御装置。
【請求項９】
請求項７または請求項８に記載の表示制御装置であって、
前記表示部における前記第１画像の前記アイコンと、前記表示部における前記第２画像の前記アイコンとは重ならない、表示制御装置。
【請求項１０】
請求項７から請求項９のうちのいずれか１項に記載の表示制御装置であって、
前記制御部は、
前記表示部における前記第１画像の前記ジェスチャー領域と、前記表示部における前記第２画像の前記アイコンとは、少なくとも一部が重なり、
前記表示部における前記第１画像の前記アイコンと、前記表示部における前記第２画像の前記ジェスチャー領域とは、少なくとも一部が重なる、表示制御装置。
【請求項１１】
請求項７から請求項１０のうちのいずれか１項に記載の表示制御装置であって、
前記制御部は、
前記第１操作と前記第２操作とを一律に受け付ける入力部からの出力信号に基づき、前記第１画像内の予め定められた第１ボタンに対する操作が実施されたと判定された場合に、前記条件が満たされたと判断して前記第２制約モードに設定し、前記入力部からの出力信号に基づき、前記第２画像内の予め定められた第２ボタンに対する操作が実施されたと判定された場合に、前記条件が満たされたと判断して前記第１制約モードに設定し、
前記表示部における前記第１画像の前記第１ボタンと、前記表示部における前記第２画像の前記アイコンとは重ならず、
前記表示部における前記第２画像の前記第２ボタンと、前記表示部における前記第１画像の前記アイコンとは重ならない、表示制御装置。
【請求項１２】
請求項７から請求項１０のうちのいずれか１項に記載の表示制御装置であって、
前記制御部は、
指示体の二次元の位置を検出することによって前記第１操作と前記第２操作とを一律に受け付ける入力部からの出力信号に基づき、複数の指示体が同時に複数点で前記入力部をタッチする操作が実施されたと判定された場合に、前記条件が満たされたと判断し、かつ、当該複数点の数に基づいて前記第１制約モード及び前記第２制約モードのうち設定すべき一方を選択する、表示制御装置。
【請求項１３】
請求項７から請求項１０のうちのいずれか１項に記載の表示制御装置であって、
前記制御部は、
指示体の三次元の位置を検出することによって前記第１操作と前記第２操作とを一律に受け付ける入力部からの出力信号に基づき、前記入力部から離間した指示体によって予め定められた軌道を有する操作が実施されたと判定された場合に、前記条件が満たされたと判断し、かつ、当該操作における前記指示体の移動の方向に基づいて前記第１制約モード及び前記第２制約モードのうち設定すべき一方を選択する、表示制御装置。
【請求項１４】
請求項７から請求項１３のうちのいずれか１項に記載の表示制御装置であって、
前記第１画像及び前記第２画像のそれぞれにおいて、前記ジェスチャー領域に対する前記第１ジェスチャー操作が無効である場合には、当該ジェスチャー領域またはその背景を暗く表示し、前記アイコンに対する前記第１ジェスチャー操作としてのタッチ操作が無効である場合には、当該アイコンを暗く表示する、表示制御装置。
【請求項１５】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）予め定められた条件が満たされたか否かを判断する工程と、
（ｂ）前記工程（ａ）にて前記予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコンに対する第２ジェスチャー操作を含む第２操作とを有効にする通常モード、及び、前記第１操作を制約せずに前記第２操作を制約する第２制約モードのうち、いずれか一つのモードに設定する工程と
を備える、表示制御方法。
【請求項１６】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）予め定められた条件が満たされたか否かを判断する工程と、
（ｂ）前記工程（ａ）にて前記予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコン及び当該アイコンを除くジェスチャー領域に対する第２ジェスチャー操作を含む第２操作とを有効にする通常モード、前記第２操作を制約せずに前記第１操作を制約する第１制約モード、及び、前記第１操作を制約せずに前記第２操作を制約する第２制約モードのうち、いずれか一つのモードに設定する工程と
を備える、表示制御方法。
【手続補正２】
【補正対象書類名】明細書
【補正対象項目名】０００８
【補正方法】変更
【補正の内容】
【０００８】
本発明に係る表示制御装置は、第１方向にて視認可能であるが第２方向にて視認できない第１画像と、第２方向にて視認可能であるが第１方向にて視認できない第２画像とを一つの画面上に表示可能な表示部を制御する表示制御装置であって、予め定められた条件が満たされたと判断した場合に当該満たされた条件に基づいて、アプリケーションの機能を実行するための第１画像内のアイコン及び当該アイコンを除くジェスチャー領域に対する第１ジェスチャー操作を含む第１操作と、アプリケーションの機能を実行するための第２画像内のアイコンに対する第２ジェスチャー操作を含む第２操作とを有効にする通常モード、及び、前記第１操作を制約せずに前記第２操作を制約する第２制約モードのうち、いずれか一つのモードに設定する制御部を備える。
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコンに対する第２ジェスチャー操作を含む第２操作とを有効にする通常モード、及び、前記第１操作を制約せずに前記第２操作を制約する第２制約モードのうち、いずれか一つのモードに設定する制御部
を備え、
前記制御部は、
指示体の三次元の位置を検出することによって前記第１操作と前記第２操作とを一律に受け付ける入力部からの出力信号に基づき、指示体が前記入力部から離間した状態で当該指示体によって予め定められた軌道を有する操作が実施されたと判定された場合に、前記条件が満たされたと判断して前記第２制約モードに設定する、表示制御装置。
【請求項２】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコンに対する第２ジェスチャー操作を含む第２操作とを有効にする通常モード、及び、前記第１操作を制約せずに前記第２操作を制約する第２制約モードのうち、いずれか一つのモードに設定する制御部
を備え、
前記制御部は、
指示体の二次元の位置を検出することによって前記第１操作と前記第２操作とを一律に受け付ける入力部からの出力信号に基づき、複数の指示体が同時に複数点で前記入力部をタッチする操作が実施されたと判定された場合に、前記条件が満たされたと判断して前記第２制約モードに設定する、表示制御装置。
【請求項３】
請求項１または請求項２に記載の表示制御装置であって、
前記制御部は、
前記第２制約モードに設定する場合には、前記第２ジェスチャー操作を無効にする、表示制御装置。
【請求項４】
請求項１から請求項３のうちのいずれか１項に記載の表示制御装置であって、
前記表示部における前記第１画像の前記アイコンと、前記表示部における前記第２画像の前記アイコンとは重ならない、表示制御装置。
【請求項５】
請求項１から請求項４のうちのいずれか１項に記載の表示制御装置であって、
前記表示部における前記第１画像の前記ジェスチャー領域と、前記表示部における前記第２画像の前記アイコンとは、少なくとも一部が重なる、表示制御装置。
【請求項６】
請求項１から請求項５のうちのいずれか１項に記載の表示制御装置であって、
前記制御部は、
前記第１操作と前記第２操作とを一律に受け付ける入力部からの出力信号に基づき、前記第１画像内の予め定められた第１ボタンに対する操作が実施されたと判定された場合に、前記条件が満たされたと判断して前記第２制約モードに設定し、
前記表示部における前記第１画像の前記第１ボタンと、前記表示部における前記第２画像の前記アイコンとは重ならない、表示制御装置。
【請求項７】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコン及び当該アイコンを除くジェスチャー領域に対する第２ジェスチャー操作を含む第２操作とを有効にする通常モード、前記第２操作を制約せずに前記第１操作を制約する第１制約モード、及び、前記第１操作を制約せずに前記第２操作を制約する第２制約モードのうち、いずれか一つのモードに設定する制御部
を備え、
前記制御部は、
指示体の三次元の位置を検出することによって前記第１操作と前記第２操作とを一律に受け付ける入力部からの出力信号に基づき、前記入力部から離間した指示体によって予め定められた軌道を有する操作が実施されたと判定された場合に、前記条件が満たされたと判断し、かつ、当該操作における前記指示体の移動の方向に基づいて前記第１制約モード及び前記第２制約モードのうち設定すべき一方を選択する、表示制御装置。
【請求項８】
第１方向にて視認可能であるが第２方向にて視認できない第１画像と、前記第２方向にて視認可能であるが前記第１方向にて視認できない第２画像とを一つの画面上に表示可能な表示部を制御する表示制御装置であって、
予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコン及び当該アイコンを除くジェスチャー領域に対する第２ジェスチャー操作を含む第２操作とを有効にする通常モード、前記第２操作を制約せずに前記第１操作を制約する第１制約モード、及び、前記第１操作を制約せずに前記第２操作を制約する第２制約モードのうち、いずれか一つのモードに設定する制御部
を備え、
前記制御部は、
指示体の二次元の位置を検出することによって前記第１操作と前記第２操作とを一律に受け付ける入力部からの出力信号に基づき、複数の指示体が同時に複数点で前記入力部をタッチする操作が実施されたと判定された場合に、前記条件が満たされたと判断し、かつ、当該複数点の数に基づいて前記第１制約モード及び前記第２制約モードのうち設定すべき一方を選択する、表示制御装置。
【請求項９】
請求項７または請求項８に記載の表示制御装置であって、
前記制御部は、
前記第１制約モードに設定する場合には、前記第１ジェスチャー操作を無効にし、前記第２制約モードに設定する場合には、前記第２ジェスチャー操作を無効にする、表示制御装置。
【請求項１０】
請求項７から請求項９のうちのいずれか１項に記載の表示制御装置であって、
前記表示部における前記第１画像の前記アイコンと、前記表示部における前記第２画像の前記アイコンとは重ならない、表示制御装置。
【請求項１１】
請求項７から請求項１０のうちのいずれか１項に記載の表示制御装置であって、
前記制御部は、
前記表示部における前記第１画像の前記ジェスチャー領域と、前記表示部における前記第２画像の前記アイコンとは、少なくとも一部が重なり、
前記表示部における前記第１画像の前記アイコンと、前記表示部における前記第２画像の前記ジェスチャー領域とは、少なくとも一部が重なる、表示制御装置。
【請求項１２】
請求項７から請求項１１のうちのいずれか１項に記載の表示制御装置であって、
前記制御部は、
前記第１操作と前記第２操作とを一律に受け付ける入力部からの出力信号に基づき、前記第１画像内の予め定められた第１ボタンに対する操作が実施されたと判定された場合に、前記条件が満たされたと判断して前記第２制約モードに設定し、前記入力部からの出力信号に基づき、前記第２画像内の予め定められた第２ボタンに対する操作が実施されたと判定された場合に、前記条件が満たされたと判断して前記第１制約モードに設定し、
前記表示部における前記第１画像の前記第１ボタンと、前記表示部における前記第２画像の前記アイコンとは重ならず、
前記表示部における前記第２画像の前記第２ボタンと、前記表示部における前記第１画像の前記アイコンとは重ならない、表示制御装置。
【請求項１３】
請求項７から請求項１２のうちのいずれか１項に記載の表示制御装置であって、
前記第１画像及び前記第２画像のそれぞれにおいて、前記ジェスチャー領域に対する前記第１ジェスチャー操作が無効である場合には、当該ジェスチャー領域またはその背景を暗く表示し、前記アイコンに対する前記第１ジェスチャー操作としてのタッチ操作が無効である場合には、当該アイコンを暗く表示する、表示制御装置。
【請求項１４】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）予め定められた条件が満たされたか否かを判断する工程と、
（ｂ）前記工程（ａ）にて前記予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコンに対する第２ジェスチャー操作を含む第２操作とを有効にする通常モード、及び、前記第１操作を制約せずに前記第２操作を制約する第２制約モードのうち、いずれか一つのモードに設定する工程と
を備え、
前記工程（ｂ）にて、
指示体の三次元の位置を検出することによって前記第１操作と前記第２操作とを一律に受け付ける入力部からの出力信号に基づき、指示体が前記入力部から離間した状態で当該指示体によって予め定められた軌道を有する操作が実施されたと判定された場合に、前記条件が満たされたと判断して前記第２制約モードに設定する、表示制御方法。
【請求項１５】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）予め定められた条件が満たされたか否かを判断する工程と、
（ｂ）前記工程（ａ）にて前記予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコンに対する第２ジェスチャー操作を含む第２操作とを有効にする通常モード、及び、前記第１操作を制約せずに前記第２操作を制約する第２制約モードのうち、いずれか一つのモードに設定する工程と
を備え、
前記工程（ｂ）にて、
指示体の二次元の位置を検出することによって前記第１操作と前記第２操作とを一律に受け付ける入力部からの出力信号に基づき、複数の指示体が同時に複数点で前記入力部をタッチする操作が実施されたと判定された場合に、前記条件が満たされたと判断して前記第２制約モードに設定る、表示制御方法。
【請求項１６】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）予め定められた条件が満たされたか否かを判断する工程と、
（ｂ）前記工程（ａ）にて前記予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコン及び当該アイコンを除くジェスチャー領域に対する第２ジェスチャー操作を含む第２操作とを有効にする通常モード、前記第２操作を制約せずに前記第１操作を制約する第１制約モード、及び、前記第１操作を制約せずに前記第２操作を制約する第２制約モードのうち、いずれか一つのモードに設定する工程と
を備え、
前記工程（ｂ）にて、
指示体の三次元の位置を検出することによって前記第１操作と前記第２操作とを一律に受け付ける入力部からの出力信号に基づき、前記入力部から離間した指示体によって予め定められた軌道を有する操作が実施されたと判定された場合に、前記条件が満たされたと判断し、かつ、当該操作における前記指示体の移動の方向に基づいて前記第１制約モード及び前記第２制約モードのうち設定すべき一方を選択する、表示制御方法。
【請求項１７】
第１方向にて視認可能であるが第２方向にて視認できない第１画像と、前記第２方向にて視認可能であるが前記第１方向にて視認できない第２画像とを一つの画面上に表示可能な表示部を制御する表示制御方法であって、
（ａ）予め定められた条件が満たされたか否かを判断する工程と、
（ｂ）前記工程（ａ）にて前記予め定められた条件が満たされたと判断した場合に当該満たされた条件に基づいて、アプリケーションの機能を実行するための前記第１画像内のアイコン及び当該アイコンを除くジェスチャー領域に対する第１ジェスチャー操作を含む第１操作と、アプリケーションの機能を実行するための前記第２画像内のアイコン及び当該アイコンを除くジェスチャー領域に対する第２ジェスチャー操作を含む第２操作とを有効にする通常モード、前記第２操作を制約せずに前記第１操作を制約する第１制約モード、及び、前記第１操作を制約せずに前記第２操作を制約する第２制約モードのうち、いずれか一つのモードに設定する工程と
を備え、
前記工程（ｂ）にて、
指示体の二次元の位置を検出することによって前記第１操作と前記第２操作とを一律に受け付ける入力部からの出力信号に基づき、複数の指示体が同時に複数点で前記入力部をタッチする操作が実施されたと判定された場合に、前記条件が満たされたと判断し、かつ、当該複数点の数に基づいて前記第１制約モード及び前記第２制約モードのうち設定すべき一方を選択する、表示制御方法。
【手続補正２】
【補正対象書類名】明細書
【補正対象項目名】０００８
【補正方法】変更
【補正の内容】
【０００８】
本発明に係る表示制御装置は、第１方向にて視認可能であるが第２方向にて視認できない第１画像と、第２方向にて視認可能であるが第１方向にて視認できない第２画像とを一つの画面上に表示可能な表示部を制御する表示制御装置であって、予め定められた条件が満たされたと判断した場合に当該満たされた条件に基づいて、アプリケーションの機能を実行するための第１画像内のアイコン及び当該アイコンを除くジェスチャー領域に対する第１ジェスチャー操作を含む第１操作と、アプリケーションの機能を実行するための第２画像内のアイコンに対する第２ジェスチャー操作を含む第２操作とを有効にする通常モード、及び、第１操作を制約せずに第２操作を制約する第２制約モードのうち、いずれか一つのモードに設定する制御部を備える。制御部は、指示体の三次元の位置を検出することによって第１操作と第２操作とを一律に受け付ける入力部からの出力信号に基づき、指示体が入力部から離間した状態で当該指示体によって予め定められた軌道を有する操作が実施されたと判定された場合に、条件が満たされたと判断して第２制約モードに設定する。
【国際調査報告】
2015083266.tif 000022
2015083266.tif 000023